(57)【要約】      （修正有）【課題】ＷＷＡに接続できないモバイルデバイスユーザがＷＷＡＮ対応モバイルをもつユーザによって、その２人の所有するモバイル間でアドホックネットワーキングワーキングを使用して提供されるワイヤレスアクセスサービスに動的に加入できる技術を提供する。【解決手段】アドホック・サービス・プロバイダはユーザ・インターフェースを含む。アドホック・サービス・プロバイダは、ユーザがユーザ・インターフェースを介してネットワークにワイヤレスでアクセスできるようにし、サーバによって認証されたモバイル・クライアントに関して、ネットワークへのワイヤレス・アクセス・ポイントを提供するように構成される。【選択図】図１
2014068362.tif 000002
【特許請求の範囲】
【請求項１】
アドホック・サービス・プロバイダであって、
ユーザ・インターフェースと、
ユーザが前記ユーザ・インターフェースを介してネットワークにワイヤレスでアクセスできるように構成された処理システムであって、サーバによって認証されたモバイル・クライアントに関して、前記ネットワークへのワイヤレス・アクセス・ポイントを提供するようにさらに構成された処理システムとを備えるアドホック・サービス・プロバイダ。
【請求項２】
前記処理システムが、前記モバイル・クライアントの前記認証をサポートするために前記モバイル・クライアントと前記サーバとの間で認証メッセージをルーティングするようにさらに構成された、請求項１に記載のアドホック・サービス・プロバイダ。
【請求項３】
前記処理システムが、別のモバイル・クライアントとのワイヤレス・リンクを維持するようにさらに構成され、前記ワイヤレス・リンクが、前記別のアドホック・サービス・プロバイダへの前記別のモバイル・クライアントのハンドオフを円滑にするために維持される、請求項１に記載のアドホック・サービス・プロバイダ。
【請求項４】
前記処理システムが、ハンドオフ前に前記別のモバイル・クライアントを事前認証するために、前記モバイル・クライアントと前記サーバとの間で認証メッセージをルーティングするようにさらに構成された、請求項３に記載のアドホック・サービス・プロバイダ。
【請求項５】
前記処理システムが、認証中に前記モバイル・クライアントとの非セキュアなワイヤレス・リンクをサポートし、前記モバイル・クライアントが認証された後に前記モバイル・クライアントをセキュアなワイヤレス・リンクに移動するようにさらに構成された、請求項１に記載のアドホック・サービス・プロバイダ。
【請求項６】
前記処理システムが、前記ワイヤレス・アクセス・ポイントからサービス情報をブロードキャストするようにさらに構成された、請求項１に記載のアドホック・サービス・プロバイダ。
【請求項７】
前記サービス情報が、サービスのコストと、サービスの継続時間と、前記アドホック・サービス・プロバイダの識別情報と、前記アドホック・サービス・プロバイダの利用可能性と、前記アドホック・サービス・プロバイダの品質基準とを含む、請求項６に記載のアドホック・サービス・プロバイダ。
【請求項８】
前記処理システムが、前記サービス情報を動的に変化させるようにさらに構成された、請求項６に記載のアドホック・サービス・プロバイダ。
【請求項９】
前記処理システムが、前記モバイル・クライアントとの第１のワイヤレス・アクセス・プロトコルと前記ネットワークとの第２のワイヤレス・アクセス・プロトコルとの間の相互接続を提供することによって前記ワイヤレス・アクセス・ポイントを提供するようにさらに構成された、請求項１に記載のアドホック・サービス・プロバイダ。
【請求項１０】
前記第１のワイヤレス・アクセス・プロトコルが前記第２のワイヤレス・アクセス・プロトコルとは異なる、請求項９に記載のアドホック・サービス・プロバイダ。
【請求項１１】
前記処理システムが、前記ネットワークに対して複数の異なるワイヤレス・アクセス・プロトコルをサポートするようにさらに構成された、請求項１に記載のアドホック・サービス・プロバイダ。
【請求項１２】
前記処理システムが、前記サーバによって認証された１つまたは複数の追加のモバイル・クライアントに前記ネットワークへの前記ワイヤレス・アクセス・ポイントを提供するようにさらに構成された、請求項１に記載のアドホック・サービス・プロバイダ。
【請求項１３】
前記処理システムが、前記モバイル・クライアントおよび前記１つまたは複数の追加のモバイル・クライアントとの複数の異なるワイヤレス・アクセス・プロトコルをサポートするようにさらに構成された、請求項１２に記載のアドホック・サービス・プロバイダ。
【請求項１４】
前記処理システムが、前記サーバによって認証された前記モバイル・クライアントおよび前記１つまたは複数の追加のモバイル・クライアントのみに、前記ワイヤレス・アクセス・ポイントを介した前記ネットワークへのアクセスが提供されるように構成されたフィルタをさらに備える、請求項１２に記載のアドホック・サービス・プロバイダ。
【請求項１５】
前記フィルタが、前記サーバによって認証された前記モバイル・クライアントおよび前記１つまたは複数の追加のモバイル・クライアントの各々について前記ワイヤレス・アクセス・ポイントを介してトランスポートされるコンテンツの量を管理するようにさらに構成された、請求項１４に記載のアドホック・サービス・プロバイダ。
【請求項１６】
前記フィルタが、優先順位に基づいて前記サーバによって認証された前記モバイル・クライアントおよび前記１つまたは複数の追加のモバイル・クライアントの各々について前記ワイヤレス・アクセス・ポイントを介してトランスポートされるコンテンツの量を管理するようにさらに構成された、請求項１４に記載のアドホック・サービス・プロバイダ。
【請求項１７】
前記処理システムが、前記モバイル・クライアントに前記ネットワークへのアクセスを提供する前に前記モバイル・クライアントにサービスを提供することができるかどうかを判断するようにさらに構成された、請求項１に記載のアドホック・サービス・プロバイダ。
【請求項１８】
前記処理システムが、サービス品質要件、帯域幅要件、待ち時間要件、処理要件、バッテリ使用要件、または所要のネットワークアクセス時間に基づいて、前記モバイル・クライアントにサービスを提供することができるかどうかを判断するようにさらに構成された、請求項１７に記載のアドホック・サービス・プロバイダ。
【請求項１９】
前記処理システムが、前記モバイル・クライアントの所要のネットワークアクセス時間をネゴシエートするようにさらに構成され、前記処理システムが前記モバイル・クライアントの前記所要のネットワークアクセス時間をもはやサポートすることができないと後で判断した場合、前記処理システムが前記モバイル・クライアントおよび前記サーバに通知するようにさらに構成された、請求項１に記載のアドホック・サービス・プロバイダ。
【請求項２０】
前記処理システムが、前記モバイル・クライアントの前記所要のネットワークアクセス時間をもはやサポートすることができないことを前記モバイル・クライアントおよびサーバに通知した後、別のアドホック・サービス・プロバイダへの前記モバイル・クライアントのハンドオフをサポートするようにさらに構成された、請求項１９に記載のアドホック・サービス・プロバイダ。
【請求項２１】
前記処理システムが、前記モバイル・クライアントがデータを解読することができないように前記ユーザ・インターフェースと前記ネットワークとの間で前記データをルーティングするようにさらに構成された、請求項１に記載のアドホック・サービス・プロバイダ。
【請求項２２】
前記処理システムが、データを解読することができないように前記モバイル・クライアントと前記サーバとの間で前記データをルーティングするように構成された、請求項１に記載のアドホック・サービス・プロバイダ。
【請求項２３】
前記処理システムが、前記ユーザが前記ユーザ・インターフェースを介して前記モバイル・クライアントを管理できるようにさらに構成された、請求項１に記載のアドホック・サービス・プロバイダ。
【請求項２４】
前記処理システムが、前記ユーザに対して透過的な方法で前記モバイル・クライアントを管理するようにさらに構成された、請求項１に記載のアドホック・サービス・プロバイダ。
【請求項２５】
前記処理システムが、前記モバイル・クライアントを認証するための前記サーバをさらに備える、請求項１に記載のアドホック・サービス・プロバイダ。
【請求項２６】
アドホック・サービス・プロバイダであって、
ユーザ・インターフェースと、
ユーザが前記ユーザ・インターフェースを介してネットワークにワイヤレスでアクセスできるようにするための手段と、
サーバによって認証されたモバイル・クライアントに関して、前記ネットワークへのワイヤレス・アクセス・ポイントを提供するための手段とを備えるアドホック・サービス・プロバイダ。
【請求項２７】
前記モバイル・クライアントの前記認証をサポートするために前記モバイル・クライアントと前記サーバとの間で認証メッセージをルーティングするための手段をさらに備える、請求項２６に記載のアドホック・サービス・プロバイダ。
【請求項２８】
別のモバイル・クライアントとのワイヤレス・リンクを維持するための手段をさらに備え、前記ワイヤレス・リンクが、前記別のアドホック・サービス・プロバイダへの前記別のモバイル・クライアントのハンドオフを円滑にするために維持される、請求項２６に記載のアドホック・サービス・プロバイダ。
【請求項２９】
ハンドオフ前に前記別のモバイル・クライアントを事前認証するために、前記モバイル・クライアントと前記サーバとの間で認証メッセージをルーティングするための手段をさらに備える、請求項２８に記載のアドホック・サービス・プロバイダ。
【請求項３０】
認証中に前記モバイル・クライアントとの非セキュアなワイヤレス・リンクをサポートするための手段と、前記モバイル・クライアントが認証された後に前記モバイル・クライアントをセキュアなワイヤレス・リンクに移動するための手段とをさらに備える、請求項２６に記載のアドホック・サービス・プロバイダ。
【請求項３１】
前記ワイヤレス・アクセス・ポイントからサービス情報をブロードキャストするための手段をさらに備える、請求項２６に記載のアドホック・サービス・プロバイダ。
【請求項３２】
前記サービス情報が、サービスのコストと、サービスの継続時間と、前記アドホック・サービス・プロバイダの識別情報と、前記アドホック・サービス・プロバイダの利用可能性と、前記アドホック・サービス・プロバイダの品質基準とを含む、請求項３１に記載のアドホック・サービス・プロバイダ。
【請求項３３】
前記サービス情報を動的に変化させるための手段をさらに備える、請求項３１に記載のアドホック・サービス・プロバイダ。
【請求項３４】
前記ネットワークへのワイヤレス・アクセス・ポイントを提供するための前記手段が、前記モバイル・クライアントとの第１のワイヤレス・アクセス・プロトコルと前記ネットワークとの第２のワイヤレス・アクセス・プロトコルとの間の相互接続を提供するための手段をさらに備える、請求項２６に記載のアドホック・サービス・プロバイダ。
【請求項３５】
前記第１のワイヤレス・アクセス・プロトコルが前記第２のワイヤレス・アクセス・プロトコルとは異なる、請求項３４に記載のアドホック・サービス・プロバイダ。
【請求項３６】
前記ネットワークに対して複数の異なるワイヤレス・アクセス・プロトコルをサポートするための手段をさらに備える、請求項２６に記載のアドホック・サービス・プロバイダ。
【請求項３７】
前記サーバによって認証された１つまたは複数の追加のモバイル・クライアントに前記ネットワークへのワイヤレス・アクセス・ポイントを提供するための手段をさらに備える、請求項２６に記載のアドホック・サービス・プロバイダ。
【請求項３８】
前記モバイル・クライアントおよび前記１つまたは複数の追加のモバイル・クライアントとの複数の異なるワイヤレス・アクセス・プロトコルをサポートするための手段をさらに備える、請求項３７に記載のアドホック・サービス・プロバイダ。
【請求項３９】
前記ネットワークへのワイヤレス・アクセス・ポイントを提供するための前記手段が、前記サーバによって認証された前記モバイル・クライアントおよび前記１つまたは複数の追加のモバイル・クライアントのみに、前記ワイヤレス・アクセス・ポイントを介した前記ネットワークへのアクセスが提供されるようにするための手段をさらに備える、請求項３７に記載のアドホック・サービス・プロバイダ。
【請求項４０】
前記サーバによって認証された前記モバイル・クライアントおよび前記１つまたは複数の追加のモバイル・クライアントの各々について前記ワイヤレス・アクセス・ポイントを介してトランスポートされるコンテンツの量を管理するための手段をさらに備える、請求項３９に記載のアドホック・サービス・プロバイダ。
【請求項４１】
優先順位に基づいて前記サーバによって認証された前記モバイル・クライアントおよび前記１つまたは複数の追加のモバイル・クライアントの各々について前記ワイヤレス・アクセス・ポイントを介してトランスポートされるコンテンツの量を管理するための手段をさらに備える、請求項３９に記載のアドホック・サービス・プロバイダ。
【請求項４２】
前記モバイル・クライアントに前記ネットワークへのアクセスを提供する前に前記モバイル・クライアントにサービスを提供することができるかどうかを判断するための手段をさらに備える、請求項２６に記載のアドホック・サービス・プロバイダ。
【請求項４３】
前記モバイル・クライアントにサービスを提供することができるかどうかを判断するための前記手段が、サービス品質要件、帯域幅要件、待ち時間要件、処理要件、バッテリ使用要件、または所要のネットワークアクセス時間に基づく、請求項４２に記載のアドホック・サービス・プロバイダ。
【請求項４４】
前記モバイル・クライアントの所要のネットワークアクセス時間をネゴシエートするための手段と、前記モバイル・クライアントの前記所要のネットワークアクセス時間をもはやサポートすることができないとき前記モバイル・クライアントおよび前記サーバに通知するための手段とをさらに備える、請求項２６に記載のアドホック・サービス・プロバイダ。
【請求項４５】
前記モバイル・クライアントの前記所要のネットワークアクセス時間をもはやサポートすることができないことを前記モバイル・クライアントおよびサーバに通知した後、別のアドホック・サービス・プロバイダへの前記モバイル・クライアントのハンドオフをサポートするための手段をさらに備える、請求項４４に記載のアドホック・サービス・プロバイダ。
【請求項４６】
前記モバイル・クライアントがデータを解読することができないように前記ユーザ・インターフェースと前記ネットワークとの間で前記データをルーティングするための手段をさらに備える、請求項２６に記載のアドホック・サービス・プロバイダ。
【請求項４７】
データを解読することができないように前記モバイル・クライアントと前記サーバとの間で前記データをルーティングするための手段をさらに備える、請求項２６に記載のアドホック・サービス・プロバイダ。
【請求項４８】
前記ユーザが前記ユーザ・インターフェースを介して前記モバイル・クライアントを管理できるようにするための手段をさらに備える、請求項２６に記載のアドホック・サービス・プロバイダ。
【請求項４９】
前記ユーザに対して透過的な方法で前記モバイル・クライアントを管理するための手段をさらに備える、請求項２６に記載のアドホック・サービス・プロバイダ。
【請求項５０】
前記モバイル・クライアントを認証するための前記サーバをさらに備える、請求項２６に記載のアドホック・サービス・プロバイダ。
【請求項５１】
ユーザ・インターフェースを有するアドホック・サービス・プロバイダからサービスを提供する方法であって、
ユーザが前記ユーザ・インターフェースを介してネットワークにワイヤレスでアクセスできるようにすることと、
サーバによって認証されたモバイル・クライアントに関して、前記ネットワークへのワイヤレス・アクセス・ポイントを提供することとを備える方法。
【請求項５２】
前記モバイル・クライアントの前記認証をサポートするために前記モバイル・クライアントと前記サーバとの間で認証メッセージをルーティングすることをさらに備える、請求項５１に記載の方法。
【請求項５３】
別のモバイル・クライアントとのワイヤレス・リンクを維持することをさらに備え、前記ワイヤレス・リンクが、前記別のアドホック・サービス・プロバイダへの前記別のモバイル・クライアントのハンドオフを円滑にするために維持される、請求項５１に記載の方法。
【請求項５４】
ハンドオフ前に前記別のモバイル・クライアントを事前認証するために、前記モバイル・クライアントと前記サーバとの間で認証メッセージをルーティングすることをさらに備える、請求項５３に記載の方法。
【請求項５５】
認証中に前記モバイル・クライアントとの非セキュアなワイヤレス・リンクをサポートすることと、前記モバイル・クライアントが認証された後に前記モバイル・クライアントをセキュアなワイヤレス・リンクに移動することとをさらに備える、請求項５１に記載の方法。
【請求項５６】
前記ワイヤレス・アクセス・ポイントからサービス情報をブロードキャストすることをさらに備える、請求項５１に記載の方法。
【請求項５７】
前記サービス情報が、サービスのコストと、サービスの継続時間と、前記アドホック・サービス・プロバイダの識別情報と、前記アドホック・サービス・プロバイダの利用可能性と、前記アドホック・サービス・プロバイダの品質基準とを含む、請求項５６に記載の方法。
【請求項５８】
前記サービス情報を動的に変化させることをさらに備える、請求項５６に記載の方法。
【請求項５９】
前記ネットワークへのワイヤレス・アクセス・ポイントを提供することが、前記モバイル・クライアントとの第１のワイヤレス・アクセス・プロトコルと前記ネットワークとの第２のワイヤレス・アクセス・プロトコルとの間の相互接続を提供することをさらに備える、請求項５１に記載の方法。
【請求項６０】
前記第１のワイヤレス・アクセス・プロトコルが前記第２のワイヤレス・アクセス・プロトコルとは異なる、請求項５９に記載の方法。
【請求項６１】
前記ネットワークに対して複数の異なるワイヤレス・アクセス・プロトコルをサポートすることをさらに備える、請求項５１に記載の方法。
【請求項６２】
前記サーバによって認証された１つまたは複数の追加のモバイル・クライアントに前記ネットワークへのワイヤレス・アクセス・ポイントを提供することをさらに備える、請求項５１に記載の方法。
【請求項６３】
前記モバイル・クライアントおよび前記１つまたは複数の追加のモバイル・クライアントとの複数の異なるワイヤレス・アクセス・プロトコルをサポートすることをさらに備える、請求項６２に記載の方法。
【請求項６４】
前記ネットワークへのワイヤレス・アクセス・ポイントを提供することが、前記サーバによって認証された前記モバイル・クライアントおよび前記１つまたは複数の追加のモバイル・クライアントのみに、前記ワイヤレス・アクセス・ポイントを介した前記ネットワークへのアクセスが提供されるようにすることをさらに備える、請求項６２に記載の方法。
【請求項６５】
前記サーバによって認証された前記モバイル・クライアントおよび前記１つまたは複数の追加のモバイル・クライアントの各々について前記ワイヤレス・アクセス・ポイントを介してトランスポートされるコンテンツの量を管理することをさらに備える、請求項６４に記載の方法。
【請求項６６】
優先順位に基づいて前記サーバによって認証された前記モバイル・クライアントおよび前記１つまたは複数の追加のモバイル・クライアントの各々について前記ワイヤレス・アクセス・ポイントを介してトランスポートされるコンテンツの量を管理することをさらに備える、請求項６４に記載の方法。
【請求項６７】
前記モバイル・クライアントに前記ネットワークへのアクセスを提供する前に前記モバイル・クライアントにサービスを提供することができるかどうかを判断することをさらに備える、請求項５１に記載の方法。
【請求項６８】
前記モバイル・クライアントにサービスを提供することができるかどうかを判断することが、サービス品質要件、帯域幅要件、待ち時間要件、処理要件、バッテリ使用要件、または所要のネットワークアクセス時間に基づく、請求項６７に記載の方法。
【請求項６９】
前記モバイル・クライアントの所要のネットワークアクセス時間をネゴシエートすることと、前記モバイル・クライアントの前記所要のネットワークアクセス時間をもはやサポートすることができないとき前記モバイル・クライアントおよび前記サーバに通知することとをさらに備える、請求項５１に記載の方法。
【請求項７０】
前記モバイル・クライアントの前記所要のネットワークアクセス時間をもはやサポートすることができないことを前記モバイル・クライアントおよびサーバに通知した後、別のアドホック・サービス・プロバイダへの前記モバイル・クライアントのハンドオフをサポートすることをさらに備える、請求項６９に記載の方法。
【請求項７１】
前記モバイル・クライアントがデータを解読することができないように前記ユーザ・インターフェースと前記ネットワークとの間で前記データをルーティングすることをさらに備える、請求項５１に記載の方法。
【請求項７２】
データを解読することができないように前記モバイル・クライアントと前記サーバとの間で前記データをルーティングすることをさらに備える、請求項５１に記載の方法。
【請求項７３】
前記ユーザが前記ユーザ・インターフェースを介して前記モバイル・クライアントを管理できるようにすることをさらに備える、請求項５１に記載の方法。
【請求項７４】
前記ユーザに対して透過的な方法で前記モバイル・クライアントを管理することをさらに備える、請求項５１に記載の方法。
【請求項７５】
前記モバイル・クライアントを認証するための前記サーバを提供することをさらに備える、請求項５１に記載の方法。
【請求項７６】
ユーザ・インターフェースを有するアドホック・サービス・プロバイダ内の処理システムによって実行可能な命令を備える機械可読媒体であって、前記命令が、
ユーザが前記ユーザ・インターフェースを介してネットワークにワイヤレスでアクセスできるようにするためのコードと、
サーバによって認証されたモバイル・クライアントに関して、前記ネットワークへのワイヤレス・アクセス・ポイントを提供するためのコードとを備える、機械可読媒体。
【請求項７７】
前記命令が、前記モバイル・クライアントの前記認証をサポートするために前記モバイル・クライアントと前記サーバとの間で認証メッセージをルーティングするためのコードをさらに備える、請求項７６に記載の機械可読媒体。
【請求項７８】
前記命令が、別のモバイル・クライアントとのワイヤレス・リンクを維持するためのコードをさらに備え、前記ワイヤレス・リンクが、前記別のアドホック・サービス・プロバイダへの前記別のモバイル・クライアントのハンドオフを円滑にするために維持される、請求項７６に記載の機械可読媒体。
【請求項７９】
前記命令が、ハンドオフ前に前記別のモバイル・クライアントを事前認証するために、前記モバイル・クライアントと前記サーバとの間で認証メッセージをルーティングするためのコードをさらに備える、請求項７８に記載の機械可読媒体。
【請求項８０】
前記命令が、認証中に前記モバイル・クライアントとの非セキュアなワイヤレス・リンクをサポートするためのコードと、前記モバイル・クライアントが認証された後に前記モバイル・クライアントをセキュアなワイヤレス・リンクに移動するためのコードとをさらに備える、請求項７６に記載の機械可読媒体。
【請求項８１】
前記命令が、前記ワイヤレス・アクセス・ポイントからサービス情報をブロードキャストするためのコードをさらに備える、請求項７６に記載の機械可読媒体。
【請求項８２】
前記サービス情報が、サービスのコストと、サービスの継続時間と、前記アドホック・サービス・プロバイダの識別情報と、前記アドホック・サービス・プロバイダの利用可能性と、前記アドホック・サービス・プロバイダの品質基準とを含む、請求項８１に記載の機械可読媒体。
【請求項８３】
前記命令が、前記サービス情報を動的に変化させるためのコードをさらに備える、請求項８１に記載の機械可読媒体。
【請求項８４】
前記ネットワークへのワイヤレス・アクセス・ポイントを提供するための前記コードが、前記モバイル・クライアントとの第１のワイヤレス・アクセス・プロトコルと前記ネットワークとの第２のワイヤレス・アクセス・プロトコルとの間の相互接続を提供するためのコードをさらに備える、請求項７６に記載の機械可読媒体。
【請求項８５】
前記第１のワイヤレス・アクセス・プロトコルが前記第２のワイヤレス・アクセス・プロトコルとは異なる、請求項８４に記載の機械可読媒体。
【請求項８６】
前記命令が、前記ネットワークに対して複数の異なるワイヤレス・アクセス・プロトコルをサポートするためのコードをさらに備える、請求項７６に記載の機械可読媒体。
【請求項８７】
前記命令が、前記サーバによって認証された１つまたは複数の追加のモバイル・クライアントに前記ネットワークへのワイヤレス・アクセス・ポイントを提供するためのコードをさらに備える、請求項７６に記載の機械可読媒体。
【請求項８８】
前記命令が、前記モバイル・クライアントおよび前記１つまたは複数の追加のモバイル・クライアントとの複数の異なるワイヤレス・アクセス・プロトコルをサポートするためのコードをさらに備える、請求項８７に記載の機械可読媒体。
【請求項８９】
前記ネットワークへのワイヤレス・アクセス・ポイントを提供するための前記コードが、前記サーバによって認証された前記モバイル・クライアントおよび前記１つまたは複数の追加のモバイル・クライアントのみに、前記ワイヤレス・アクセス・ポイントを介した前記ネットワークへのアクセスが提供されるようにするためのコードをさらに備える、請求項８７に記載の機械可読媒体。
【請求項９０】
前記命令が、前記サーバによって認証された前記モバイル・クライアントおよび前記１つまたは複数の追加のモバイル・クライアントの各々について前記ワイヤレス・アクセス・ポイントを介してトランスポートされるコンテンツの量を管理するためのコードをさらに備える、請求項８９に記載の機械可読媒体。
【請求項９１】
前記命令が、優先順位に基づいて前記サーバによって認証された前記モバイル・クライアントおよび前記１つまたは複数の追加のモバイル・クライアントの各々について前記ワイヤレス・アクセス・ポイントを介してトランスポートされるコンテンツの量を管理するためのコードをさらに備える、請求項８９に記載の機械可読媒体。
【請求項９２】
前記命令が、前記モバイル・クライアントに前記ネットワークへのアクセスを提供する前に前記モバイル・クライアントにサービスを提供することができるかどうかを判断するためのコードをさらに備える、請求項７６に記載の機械可読媒体。
【請求項９３】
前記モバイル・クライアントにサービスを提供することができるかどうかを判断するための前記コードが、サービス品質要件、帯域幅要件、待ち時間要件、処理要件、バッテリ使用要件、または所要のネットワークアクセス時間に基づいてそのような判断を行う、請求項９２に記載の機械可読媒体。
【請求項９４】
前記命令が、前記モバイル・クライアントの所要のネットワークアクセス時間をネゴシエートするためのコードと、前記モバイル・クライアントの前記所要のネットワークアクセス時間をもはやサポートすることができないとき前記モバイル・クライアントおよび前記サーバに通知するためのコードとをさらに備える、請求項７６に記載の機械可読媒体。
【請求項９５】
前記命令が、前記モバイル・クライアントの前記所要のネットワークアクセス時間をもはやサポートすることができないことを前記モバイル・クライアントおよびサーバに通知した後、別のアドホック・サービス・プロバイダへの前記モバイル・クライアントのハンドオフをサポートするためのコードをさらに備える、請求項９４に記載の機械可読媒体。
【請求項９６】
前記命令が、前記モバイル・クライアントがデータを解読することができないように前記ユーザ・インターフェースと前記ネットワークとの間で前記データをルーティングするためのコードをさらに備える、請求項７６に記載の機械可読媒体。
【請求項９７】
前記命令が、データを解読することができないように前記モバイル・クライアントと前記サーバとの間で前記データをルーティングするためのコードをさらに備える、請求項７６に記載の機械可読媒体。
【請求項９８】
前記命令が、前記ユーザが前記ユーザ・インターフェースを介して前記モバイル・クライアントを管理できるようにするためのコードをさらに備える、請求項７６に記載の機械可読媒体。
【請求項９９】
前記命令が、前記ユーザに対して透過的な方法で前記モバイル・クライアントを管理するためのコードをさらに備える、請求項７６に記載の機械可読媒体。
【請求項１００】
前記命令が、前記モバイル・クライアントを認証するための前記サーバを提供するためのコードをさらに備える、請求項７６に記載の機械可読媒体。
【発明の詳細な説明】
【技術分野】
【０００１】
本開示は、一般に電気通信に関し、より詳細には、異種ワイヤレス・アドホック・モバイル・インターネット・アクセス・サービスのための方法に関する。
【背景技術】
【０００２】
ワイヤレス電気通信システムは、電話、データ、ビデオ、オーディオ、メッセージング、放送など、様々なサービスを消費者に提供するために広く展開されている。市場要因がワイヤレス電気通信を新たな高みに押し上げるにつれて、これらのシステムは進化し続ける。今日、ワイヤレス・ネットワークは、地域、全国、さらには世界規模の領域にわたってブロードバンド・インターネット・アクセスをモバイル加入者に提供している。そのようなネットワークは、時々ワイヤレス・ワイドエリア・ネットワーク（ＷＷＡＮ）と呼ばれる。ＷＷＡＮ事業者は、一般に、月額固定料金の加入プランなどのワイヤレス・アクセス・プランを加入者に提供する。
【０００３】
すべてのモバイルデバイスからＷＷＡＮにアクセスできるとは限らない。一部のモバイルデバイスはＷＷＡＮ無線を有していないことがある。ＷＷＡＮ無線をもつ他のモバイルデバイスは加入プランが使用可能でないことがある。アドホックネット・ワーキングは、ＷＬＡＮ、Ｂｌｕｅｔｏｏｔｈ（登録商標）、ＵＷＢまたは他のプロトコルなどのプロトコルを使用して、モバイルデバイス同士がワイヤレス・インターフェースを介して動的に接続できるようにする。ＷＷＡＮにアクセスできないモバイルデバイスのユーザが、ＷＷＡＮ対応モバイルデバイスをもつユーザによって、その２人のユーザが所有するモバイルデバイス間でワイヤレスアドホックネット・ワーキングを使用して提供されるワイヤレス・アクセス・サービスに動的に加入できるようにする方法が、当技術分野において必要とされている。
【発明の概要】
【０００４】
本開示の一態様では、アドホック・サービス・プロバイダは、ユーザ・インターフェースと、ユーザがユーザ・インターフェースを介してネットワークにワイヤレスでアクセスできるように構成された処理システムであって、サーバによって認証されたモバイル・クライアントに関して、ネットワークへのワイヤレス・アクセス・ポイントを提供するようにさらに構成された処理システムとを含む。
【０００５】
本開示の別の態様では、アドホック・サービス・プロバイダは、ユーザ・インターフェースと、ユーザがユーザ・インターフェースを介してネットワークにワイヤレスでアクセスできるようにするための手段と、サーバによって認証されたモバイル・クライアントに関して、ネットワークへのワイヤレス・アクセス・ポイントを提供するための手段とを含む。
【０００６】
本開示のまた別の態様では、ユーザ・インターフェースを有するアドホック・サービス・プロバイダからサービスを提供する方法は、ユーザがユーザ・インターフェースを介してネットワークにワイヤレスでアクセスできるようにすることと、サーバによって認証されたモバイル・クライアントに関して、ネットワークへのワイヤレス・アクセス・ポイントを提供することとを含む。
【０００７】
本開示のさらなる態様では、機械可読媒体は、ユーザ・インターフェースを有するアドホック・サービス・プロバイダ内の処理システムによって実行可能な命令を含み、その命令は、ユーザがユーザ・インターフェースを介してネットワークにワイヤレスでアクセスできるようにするためのコードと、サーバによって認証されたモバイル・クライアントに関して、ネットワークへのワイヤレス・アクセス・ポイントを提供するためのコードとを含む。
【０００８】
本発明の様々な実施形態を例として図示および説明する以下の詳細な説明から、本発明の他の実施形態が容易に明らかになることが当業者には理解されよう。了解されるように、すべて本発明の趣旨および範囲から逸脱しなければ、本発明は他の実施形態および異なる実施形態が可能であり、そのいくつかの詳細は様々な他の点で変更が可能である。したがって、図面および詳細な説明は、本質的に例示的なものと見なされるべきであり、限定的なものと見なされるべきではない。
【図面の簡単な説明】
【０００９】
【図１】電気通信システムの一例を示す概念ブロック図。
【図２】アドホック・サービス・プロバイダの機能の一例を示す概念ブロック図。
【図３】アドホック・サービス・プロバイダのハードウェア構成の一例を示す概念ブロック図。
【図４】アドホック・サービス・プロバイダ内の処理システムの機能の一例を示す概念ブロック図。
【発明を実施するための形態】
【００１０】
添付の図面とともに以下に示す詳細な説明は、本発明の様々な構成を説明するものであり、本発明を実施できる唯一の構成を表すものではない。詳細な説明は、本発明の完全な理解を与えるための具体的な詳細を含む。ただし、本発明はこれらの具体的な詳細なしに実施できることが当業者には明らかであろう。いくつかの例では、本発明の概念を不明瞭にしないように、よく知られている構造および構成要素をブロック図の形式で示す。
【００１１】
図１は、電気通信システムの一例を示す概念ブロック図である。電気通信システム１００は、ネットワーク１０２へのブロードバンド・アクセスをモバイル加入者に提供する複数のＷＷＡＮとともに示されている。ネットワーク１０２は、インターネットなどのパケット・ベース・ネットワークまたは何らかの他の適切なネットワークとすることができる。提示を明快にするために、２つのＷＷＡＮ１０４がインターネット１０２へのバックホール接続とともに示されている。各ＷＷＡＮ１０４は、地理的領域全体にわたって分散された複数の固定位置の基地局（図示せず）を用いて実装することができる。地理的領域は、一般に、セルとして知られるより小さい領域に細分することができる。各基地局は、それぞれのセル内のすべてのモバイル加入者にサービスするように構成することができる。基地局コントローラ（図示せず）を使用して、ＷＷＡＮ１０４内の基地局を管理および調整し、インターネット１０２へのバックホール接続をサポートすることができる。
【００１２】
各ＷＷＡＮ１０４は、多くの異なるワイヤレス・アクセス・プロトコルのうちの１つを使用してモバイル加入者との無線通信をサポートすることができる。例として、１つのＷＷＡＮ１０４はエボリューション・データ・オプティマイズド（ＥＶ−ＤＯ：Evolution-Data Optimized）をサポートすることができ、他のＷＷＡＮ１０４はウルトラ・モバイル・ブロードバンド（ＵＭＢ：Ultra Mobile Broadband）をサポートすることができる。ＥＶ−ＤＯおよびＵＭＢは、規格のＣＤＭＡ２０００ファミリの一部として第３世代パートナーシッププロジェクト２（３ＧＰＰ２）によって公表されたエアインターフェース規格であり、符号分割多元接続（ＣＤＭＡ）などの多元接続技法を利用してモバイル加入者にブロードバンド・インターネット・アクセスを提供する。代替的に、ＷＷＡＮ１０４の１つはロングターム・エボリューション（ＬＴＥ：Long Term Evolution）をサポートすることができ、ロングターム・エボリューションは、主に広帯域ＣＤＭＡ（Ｗ−ＣＤＭＡ）エアインターフェースに基づいてユニバーサル移動通信システム（ＵＭＴＳ：Universal Mobile Telecommunications System）携帯電話規格を改善するための３ＧＰＰ２内のプロジェクトである。ＷＷＡＮ１０４の１つは、ＷｉＭＡＸフォーラムによって開発されているＷｉＭＡＸ規格をサポートすることもできる。特定の電気通信システムのためにＷＷＡＮによって採用される実際のワイヤレス・アクセス・プロトコルは、特定の適用例およびシステムに課される全体的な設計制約に依存する。本開示全体にわたって提示する様々な技法は、利用されるワイヤレス・アクセス・プロトコルにかかわらず、異種または同種ＷＷＡＮの任意の組合せに等しく適用可能である。
【００１３】
各ＷＷＡＮ１０４は、いくつかのモバイル加入者を有する。各加入者は、ＷＷＡＮ１０４を介してインターネット１０２に直接アクセスすることが可能なモバイル・ノード１０６を有することができる。図１に示す電気通信システム中で、これらのモバイル・ノード１０６は、ＥＶ−ＤＯ、ＵＭＢまたはＬＴＥワイヤレス・アクセス・プロトコルを使用してＷＷＡＮ１０４にアクセスするが、実際の実装では、これらのモバイル・ノード１０６は、任意のワイヤレス・アクセス・プロトコルをサポートするように構成することができる。
【００１４】
これらのモバイル・ノード１０６の１つまたは複数は、ＷＷＡＮ１０４にアクセスするために使用されるのと同じまたは異なるワイヤレス・アクセス・プロトコルに基づいて、その近傍にアドホック・ネットワークを生成するように構成することができる。例として、モバイル・ノード１０６は、ＷＷＡＮに関してはＵＭＢワイヤレス・アクセス・プロトコルをサポートすることができるが、ＷＷＡＮに直接アクセスできないモバイル・ノード１０８にはＩＥＥＥ８０２．１１アクセス・ポイントを提供する。ＩＥＥＥ８０２．１１は、（たとえば、数十メートルから数百メートルの）短距離通信用にＩＥＥＥ８０２．１１委員会によって開発された１組のワイヤレス・ローカル・アクセス・ネットワーク（ＷＬＡＮ）規格である。ＩＥＥＥ８０２．１１は一般的なＷＬＡＮワイヤレス・アクセス・プロトコルであるが、他の適切なプロトコルを使用することもできる。
【００１５】
別のモバイル・ノード１０８にアクセス・ポイントを提供するために使用されるモバイル・ノード１０６を、本明細書では「アドホック・サービス・プロバイダ」と呼ぶ。アドホック・サービス・プロバイダ１０６のアクセス・ポイントを使用することができるモバイル・ノード１０８を、本明細書では「モバイル・クライアント」と呼ぶ。モバイル・ノードは、アドホック・サービス・プロバイダ１０６であるか、モバイル・クライアント１０８であるかにかかわらず、ラップトップ・コンピュータ、携帯電話、携帯情報端末（ＰＤＡ）、モバイル・デジタル・オーディオ・プレーヤ、モバイルゲーム機、デジタル・カメラ、デジタル・ビデオカメラ、モバイル・オーディオ・デバイス、モバイル・ビデオ・デバイス、モバイル・マルチメディア・デバイス、または少なくとも１つのワイヤレス・アクセス・プロトコルをサポートすることが可能な他のデバイスとすることができる。
【００１６】
アドホック・サービス・プロバイダ１０６は、そのワイヤレス・ブロードバンド・インターネット・アクセス・サービスを、さもなければインターネットにアクセスできないモバイル・クライアント１０８に拡張することができる。サーバ１１０は、モバイル・クライアント１０８が、たとえば、ＷＷＡＮ１０４を介してインターネット１０２にアクセスするためにアドホック・サービス・プロバイダ１０６から使用されていない帯域幅を購入できるようにする「交換局」として使用することができる。
【００１７】
アドホック・サービス・プロバイダ１０６とサーバ１１０と１つまたは複数のモバイル・クライアント１０８とは、アドホック異種ワイヤレス・ネットワークであるネットワークを確立することができる。例として、異種ワイヤレス・ネットワークは、少なくとも２つのタイプのワイヤレス・ネットワーク（たとえば、ＷＷＡＮおよびＷＬＡＮ）を含むことができる。例として、アドホック・ネットワークは、特定の構成が時間ごとにまたはネットワークの形成ごとに変化するネットワークとすることができる。ネットワーク構成は、ネットワークを確立するより前に事前計画されない。アドホック・ネットワークの構成の例には、ネットワーク中にいるメンバに応じた構成（たとえば、どのアドホック・サービス・プロバイダ、どのサーバ、および／またはどのモバイル・クライアントがネットワーク中に含まれるか）、アドホック・サービス・プロバイダおよびモバイル・クライアントの地理的位置に応じた構成、ネットワークがいつ、どのくらいの間確立されるかに応じた構成がある。
【００１８】
単に説明のために、アドホック・ネットワークの例示的なシナリオを以下に説明する。シナリオ１：モバイル加入者が火曜日の午前８時に空港にいる間、彼は自分のモバイル・ノード（たとえば、ラップトップ・コンピュータまたは携帯電話）をオンにし、自分のフライトを待つ間にアドホック・サービス・プロバイダとしてモバイル・ノードを使用し、３０分間アドホック・ネットワークを確立することができる。アドホック・ネットワークは、近傍の１つまたは複数のモバイル・クライアント（たとえば、他のラップトップ・コンピュータまたは携帯電話）を含むことができる。シナリオ２：水曜日の午後５時に、そのモバイル加入者がホテルにいる間、彼は同じモバイル・ノードを使用して、別のアドホック・ネットワークを４時間形成し、そのサービスを同じモバイル・クライアント、異なるモバイル・クライアント、または両方の組合せに提供することができる。シナリオ３：水曜日の午後５時に、異なるアドホック・サービス・プロバイダが、第１のアドホック・サービス・プロバイダがその前日にいた空港で、アドホック・ネットワークを形成することができる。サービス・プロバイダおよびクライアントはモバイルなので、アドホック・ネットワークは「モバイル」ネットワークとなる。
【００１９】
サーバ１１０は集中型サーバでも分散型サーバでもよい。集中型サーバは、専用サーバとすることができ、あるいはデスクトップもしくはラップトップ・コンピュータ、またはメインフレームなど、別のエンティティに統合することができる。分散型サーバは、複数のサーバ、および／またはラップトップもしくはデスクトップ・コンピュータ、またはメインフレームなど、１つまたは複数の他のエンティティにわたって分散することができる。少なくとも１つの構成では、サーバ１１０は、全体的または部分的に、１つまたは複数のアドホック・サービス・プロバイダに統合することができる。
【００２０】
電気通信システム１００の１つの構成では、サーバ１１０は、使用量に基づいてモバイル・クライアント１０８に課金する。モバイル・インターネット・サービスを時々しか利用しないユーザにとって、これは月額固定料金のワイヤレス・アクセス・プランに代わる魅力的な選択肢になる。使用料から発生する収入は、交換局の活力を永続させるのに役立つように電気通信システム１００内の様々なエンティティに割り振ることができる。例として、収入の一部をアドホック・サービス・プロバイダに分配し、それによってアドホック・サービス・プロバイダになるモバイル加入者に奨励金を与えることができる。収入の別の一部は、さもなければ利用されない帯域幅を補償するためにＷＷＡＮ事業者に分配することができる。収入の別の一部は、モバイル・ノードの製造業者に分配することができる。収入の残りは、交換局を提供するサーバ事業者が取っておくことができる。図示のように集中型サーバ、または複数のサーバを含む分散型サーバのいずれかであるサーバ１１０を使用して、モバイル・クライアント１０８から発生する収入を電気通信システム１００内の様々なエンティティにどのように割り振るかを決定することができる。
【００２１】
サーバ１１０は、信頼できるサーバとして実装することができる。したがって、サーバ１１０は、たとえば、サーバ１１０とアドホック・サービス・プロバイダ１０６との間、またはサーバ１１０とモバイル・クライアント１０８との間のトランスポート層セキュリティ（ＴＬＳ）セッションにおいて、パブリックキーインフラストラクチャ（ＰＫＩ）証明書を使用して、認証することができる。代替的に、サーバ１１０は、自己署名付き証明書を使用して、または何らかの他の適切な手段によって認証することができる。
【００２２】
サーバ１１０を認証する方法にかかわらず、登録中に、サーバ１１０とアドホック・サービス・プロバイダ１０６との間、またはサーバ１１０とモバイル・クライアント１０８との間でセキュアなセッションチャネルを確立することができる。電気通信システム１００の１つの構成では、モバイル・クライアント１０８は、サーバ１１０に登録して、ユーザ名およびパスワードを支払い情報とともにセットアップする。アドホック・サービス・プロバイダ１０６は、サーバ１１０に登録して、ワイヤレス・アクセス・ポイント（たとえば、インターネット・アクセス・ポイント）をモバイル・クライアント１０８に提供することを望むことを通知することができる。
【００２３】
サーバ１１０はまた、アドミッション制御を提供するために使用することができる。アドミッション制御は、それによってサーバ１１０が、アドホック・サービス・プロバイダ１０６が地理的位置内でサービスを提供できるようにすべきかどうかを判断するプロセスである。サーバ１１０は、さらなるアドホック・サービス・プロバイダ１０６がＷＷＡＮ内のパフォーマンスに悪影響を及ぼすと判断した場合、所与の位置におけるアドホック・サービス・プロバイダ１０６の数を制限することができる。様々なネットワーク制約に応じて、所与の地理的位置においてモバイル加入者がサービスを提供することを望まないことがあるＷＷＡＮ事業者によって、さらなる制約が課されることがある。
【００２４】
サーバ１１０はまた、アドホック・サービス・プロバイダ１０６とモバイル・クライアント１０８との間で確立される動的セッションを管理するために使用することができる。電気通信システム１００の１つの構成では、アドホック・サービス・プロバイダ１０６がモバイルであり、サービスの提供を望む場合、アドホック・サービス・プロバイダ１０６によって開始されたサーバ１１０との接続のための認証、認可、および課金（ＡＡＡ）ならびにセキュアなセッション確立のために拡張認証プロトコル・トンネル・トランスポート層セキュリティ（ＥＡＰ−ＴＴＬＳ）を使用することができる。ＥＡＰ−ＴＴＬＳはまた、モバイル・クライアント１０８によるセッション開始要求のために使用することができる。後者の場合、モバイル・クライアントはサプリカントであり、アドホック・サービス・プロバイダ１０６は認証者であり、サーバ１１０は認証サーバである。アドホック・サービス・プロバイダ１０６は、ＥＡＰ−ＡＡＡ認証のためにモバイル・クライアントの資格証明をサーバ１１０に送信する。次いで、サーバ１１０からのＥＡＰ−ＴＴＬＳ認証応答を使用して、マスタ共用キーを生成する。その後、アドホック・サービス・プロバイダ１０６とモバイル・クライアント１０８との間でリンク暗号化キーを確立することができる。
【００２５】
モバイル・クライアント１０８とサーバ１１０との間のセキュアソケット層仮想プライベートネットワーク（ＳＳＬ  ＶＰＮ）トンネルで追加のセキュリティを達成することができる。ＳＳＬ  ＶＰＮトンネルはアドホック・サービス・プロバイダ１０６を介してルーティングされるトラフィックを暗号化するために使用され、モバイル・クライアント１０８にさらなるプライバシを提供する。代替的に、トンネルは、ＩＰｓｅｃトンネルとすることも、または何らかの他の適切なトンネリング・プロトコルを使用して実装することもできる。
【００２６】
サーバ１１０とモバイル・クライアント１０８との間でトンネルが確立されると、様々なサービスを提供することができる。例として、サーバ１１０は、モバイル・クライアント１０８へのオーディオまたはビデオサービスをサポートすることができる。サーバ１１０は、モバイル・クライアント１０８への広告サービスをサポートすることもできる。サーバ１１０の他の機能は、モバイル・クライアント１０８にネットワーク間とのコンテンツのルーティングを提供すること、ならびにモバイル・クライアント１０８にネットワークとの間のネットワークアドレス変換を提供することを含む。
【００２７】
サーバ１１０は、任意の数のファクタに基づいて１つのアドホック・サービス・プロバイダ１０６から別のアドホック・サービス・プロバイダへのモバイル・クライアント１０８のハンドオフのサポートを提供することもできる。これらのファクタは、例として、各モバイル・クライアント１０８によって必要とされるサービス品質（ＱｏＳ）、各モバイル・クライアント１０８によって必要とされるセッションの継続時間、ならびにアドホック・サービス・プロバイダ１０６における負荷、リンク状態、およびエネルギーレベル（たとえば、バッテリ寿命）を含むことができる。
【００２８】
サーバ１１０はまた、アドホック・サービス・プロバイダ１０６ごとの品質基準を格納するために使用することができる。この品質基準は、利用可能なアドホック・サービス・プロバイダ１０６から選択しようとするモバイル・クライアント１０８に提供することができる。特定のアドホック・サービス・プロバイダ１０６に関して、より多くの情報が利用可能になるにつれて、この基準は連続的に更新することができる。各アドホック・サービス・プロバイダ１０６に関連する品質基準は、提供されるＱｏＳに基づいて下げるかまたは上げることができる。
【００２９】
図２は、アドホック・サービス・プロバイダの機能の一例を示す概念ブロック図である。アドホック・サービス・プロバイダ１０６は、同種または異種のワイヤレス・アクセス・プロトコルにわたってワイヤレス・リンクをブリッジする能力を有する。これは、ＷＷＡＮに対してインターネット１０２へのワイヤレス・アクセス・プロトコルをサポートするＷＷＡＮネットワーク・アダプタ２０２と、モバイル・クライアント１０８にワイヤレス・アクセス・ポイントを提供するＷＬＡＮネットワーク・アダプタ２０４を用いて達成することができる。例として、ＷＷＡＮネットワーク・アダプタ２０２は、ＷＷＡＮを介したインターネット・アクセスのためのＥＶ−ＤＯをサポートするトランシーバ機能を含むことができ、ＷＬＡＮネットワーク・アダプタ２０４は、モバイル・クライアント１０８に８０２．１１アクセス・ポイントを提供するトランシーバ機能を含むことができる。ネットワーク・アダプタ２０２、２０４はそれぞれ、ワイヤレス信号を復調し、他の無線周波数（ＲＦ）フロントエンド処理を実行することによって物理層を実装するように構成できる。ネットワーク・アダプタ２０２、２０４はそれぞれ、物理層上のデータ転送を管理することによってデータリンク層を実装するように構成することもできる。
【００３０】
アドホック・サービス・プロバイダ１０６は、フィルタード相互接続およびセッション監視モジュール（filtered interconnection and session monitoring module）２０６とともに示されている。モジュール２０６は、ＷＷＡＮインターフェース２０２に至るアドホックワイヤレス・リンク間の相互接続が、サーバによって認証されたモバイル・クライアント１０８のみに提供されるように、モバイル・クライアント１０８からのコンテンツのフィルタード処理を行う。モジュール２０６はまた、サーバと認証されたモバイル・クライアント１０８との間のセッションを監視することを担当する。
【００３１】
アドホック・サービス・プロバイダ１０６は、フィルタード相互接続およびセッション監視モジュール３０６とともに示されている。モジュール３０６は、ＷＷＡＮネットワーク・インターフェース３０２に至るアドホックワイヤレス・リンク間の相互接続が、サーバによって認証され、ＷＷＡＮネットワークの使用を許可されたモバイル・クライアント１０８のみに提供されるように、モバイル・クライアント１０８からのコンテンツのフィルタード処理を行う。モジュール３０６はまた、サーバと認証されたモバイル・クライアント１０８との間のトンネル接続性を維持する。
【００３２】
アドホック・サービス・プロバイダ１０６は、サービス・プロバイダ・アプリケーション３０８も含み、サービス・プロバイダ・アプリケーション３０８は、（１）モジュール３０６がモバイル・クライアント１０８にアドホックサービスを提供できるようにし、（２）アドホック・サービス・プロバイダ１０６のモバイル加入者またはユーザに対してＷＷＡＮまたはインターネット・アクセスをサポートする。後者の機能は、サービス・プロバイダ・アプリケーション３０８の制御下で、モジュール３０６を介してＷＷＡＮネットワーク・アダプタ３０２と通信するユーザ・インターフェース３１０によってサポートされる。ユーザ・インターフェース３１２は、キーパッド、ディスプレイ、スピーカ、マイクロホン、ジョイスティック、および／またはモバイル加入者もしくはユーザがＷＷＡＮ１０４もしくはインターネット１０２（図１参照）にアクセスできるようにするユーザ・インターフェースデバイスの他の組合せを含むことができる。
【００３３】
上述のように、サービス・プロバイダ・アプリケーション３０８はまた、モジュール３０６がアドホックサービスをモバイル・クライアント１０８に提供できるようにする。サービス・プロバイダ・アプリケーション３０８は、サーバとカスタムメッセージを交換するために、サーバ１１０とのセッションを維持する。さらに、サービス・プロバイダ・アプリケーション３０８は、サービス・プロバイダ・アプリケーション３０８とモバイル・クライアント１０８との間でカスタムメッセージを交換するための各モバイル・クライアント１０８との別個のセッションをも維持する。サービス・プロバイダ・アプリケーション３０８は、認証および許可されたクライアントについての情報をフィルタード相互接続およびセッション監視モジュール３０６に提供する。フィルタード相互接続およびセッション監視モジュール３０８は、認証および許可されたモバイル・クライアント１０８のみに対してコンテンツフローを許す。フィルタード相互接続およびセッション監視モジュール３０６は、モバイル・クライアントから発信されるコンテンツの量およびモバイル・クライアントに着信するコンテンツの量など、モバイル・クライアント１０８に関連するコンテンツフローに関する情報、ならびにＷＷＡＮおよびＷＬＡＮネットワークリソース利用度、ワイヤレスチャネル上で利用可能な帯域幅に関する情報も随意に監視する。フィルタード相互接続およびセッション監視モジュール３０６は、そのような情報を追加的に随意にサービス・プロバイダ・アプリケーション３０８に提供することができる。サービス・プロバイダ・アプリケーション３０８は、そのような情報に基づいて随意に動作し、モバイル・クライアント１０８およびサーバとの接続性を維持し続けるかどうか、またはサービスを提供し続けるかどうかの判断など、適切なアクションをとることができる。モジュール３０６およびモジュール３０８で説明する機能は、アドホック・サービス・プロバイダ１０６においてそのような機能を提供するように調整するモジュールの１つまたは複数の組で所与のプラットフォームにおいて実装することができることに留意されたい。
【００３４】
アドホック・サービス・プロバイダ１０６がこれらのサービスを提供することを決定すると、サービス・プロバイダ・アプリケーション２０８は承認の要求をサーバ１１０に送信する。サービス・プロバイダ・アプリケーション２０８は、１つまたは複数のモバイル・クライアント１０８にサービスを提供するためのサーバ１１０による認証およびサーバ１１０からの承認を要求する。サーバ１１０は、アドホック・サービス・プロバイダ１０６を認証し、次いでアドホック・サービス・プロバイダの要求を認めるかどうかを判断することができる。前述のように、同じ地理的位置内のアドホック・サービス・プロバイダの数が多すぎる場合、またはＷＷＡＮ事業者がいくつかの制約をアドホック・サービス・プロバイダ１０６に課している場合、要求は拒否されることがある。
【００３５】
アドホック・サービス・プロバイダ１０６が認証されると、サービス・プロバイダ・アプリケーション２０８は、アドホックＷＬＡＮサービスセット識別子（ＳＳＩＤ）、サービスのコスト、サービスの継続時間、アドホック・サービス・プロバイダの利用可能性、およびアドホック・サービス・プロバイダの品質基準など、サービス情報を広告することができるサービス・プロバイダ・アプリケーション２０８は、状態が変化すると広告されたサービス情報への変更を促すこともできる。関係するモバイル・クライアント１０８は、アドホック・サービス・プロバイダ１０６にアクセスするためにＳＳＩＤに関連することができる。サービス・プロバイダ・アプリケーション２０８は、次いで、サーバ１１０とモバイル・クライアント１０８との間で認証メッセージをルーティングすることができ、一度認証されると、モバイル・クライアント１０８をサーバに接続するようにフィルタード相互接続およびセッション監視モジュール２０６を構成することができる。モバイル・クライアント１０８の認証中、サービス・プロバイダ・アプリケーション２０８  １０６は非セキュアなワイヤレス・リンクを使用することができる。
【００３６】
サービス・プロバイダ・アプリケーション２０８  １０６は、モバイル・クライアント１０８が認証されると、モバイル・クライアント１０８を、セキュアなリンクをもつ新たなＳＳＩＤに移すことを随意に選択することができる。そのような状況では、サービス・プロバイダ・アプリケーション２０８  １０６は、モバイル・クライアント１０８との既存のセッションのためにサポートしなければならない負荷に応じて各ＳＳＩＤに費やす時間を分散させることができる。
【００３７】
サービス・プロバイダ・アプリケーション２０８はまた、モバイル・クライアント１０８がネットワークにアクセスできるようにする前に、モバイル・クライアント１０８をサポートすることができるかどうかを判断することが可能である。リソースインテリジェンスは、モバイル・クライアント１０８を受け入れることによって必要とされることがあるバッテリ電力の消耗、ＱｏＳ要件、帯域幅要件、待ち時間要件、処理要件、所要のネットワークアクセス時間，および／または他の処理リソースを推定するために使用され、サービス・プロバイダ・アプリケーション２０８が新しいモバイル・クライアント１０８をサポートすること、または別のアドホック・サービス・プロバイダ１０６からのそのモバイル・クライアント１０８のハンドオフを受け入れることを検討すべきかどうかを決定するのを支援することができる。
【００３８】
サービス・プロバイダ・アプリケーション２０８は、モバイル・クライアント１０８を許可し、それらに、セッション中の予想平均帯域幅など、一定のＱｏＳ保証を提供することができる。時間ウィンドウにわたって各モバイル・クライアント１０８に提供される平均スループットを監視することができる。サービス・プロバイダ・アプリケーション２０８  １０６は、モバイル・クライアント１０８によるリソース利用があるしきい値を下回っていること、またセッション確立中にモバイル・クライアント１０８に提供することを合意したＱｏＳ要件を満たしていることを保証するために、そこを通過するすべてのフローについてスループットを監視することができる。
【００３９】
サービス・プロバイダ・アプリケーション２０８はまた、コンテンツを解読できないようにしてフィルタード相互接続およびセッション監視モジュール２０６を介してコンテンツをルーティングすることによって、一定のレベルのセキュリティをワイヤレス・アクセス・ポイントに提供することができる。同様に、サービス・プロバイダ・アプリケーション２０８
１０６は、ユーザ・インターフェース２１０とＷＷＡＮ１０４との間でモジュール２０６を介してルーティングされるコンテンツがモバイル・クライアント１０８によって解読できないように構成することができる。サービス・プロバイダ・アプリケーション２０８は、適切な暗号化技術を使用してこの機能を実装することができる。
【００４０】
サービス・プロバイダ・アプリケーション２０８  １０６はまた、モバイル・クライアント１０８がネットワークにアクセスするための時間期間を維持することができる。時間期間は、セッションの開始中にサービス・プロバイダ・アプリケーション２０８とモバイル・クライアント１０８との間で合意される。サービス・プロバイダ・アプリケーション２０８は、合意された時間期間でのネットワークへのアクセスをモバイル・クライアント１０８に提供することができないと判断した場合、サーバとモバイル・クライアント１０８の両方に利用不可能であることを通知する。これは、エネルギー制約（たとえば、低バッテリ）、または他の不測の事態により生じることがある。次いで、サーバは、モバイル・クライアント１０８の近傍に別のアドホック・サービス・プロバイダがある場合、別のアドホック・サービス・プロバイダへのモバイル・クライアントのハンドオフを検討することができる。サービス・プロバイダ・アプリケーション２０８  １０６は、モバイル・クライアント１０８のハンドオフをサポートすることができる。
【００４１】
サービス・プロバイダ・アプリケーション２０８は、他のアドホック・サービス・プロバイダによってサービスされるモバイル・クライアント１０８とのワイヤレス・リンクまたは制限されたセッションを維持するために、処理リソースを専用することもできる。モバイル・クライアント１０８は、サーバとの間で認証メッセージをルーティングすることによって事前認証される。これは、アドホック・サービス・プロバイダ１０６へのモバイル・クライアント１０８のハンドオフを円滑にすることができる。
【００４２】
サービス・プロバイダ・アプリケーション２０８は、ユーザ・インターフェース２１０を介して、モバイル・クライアント１０８を全般的に、またセッションを特定的に管理することができる。代替的に、サービス・プロバイダ・アプリケーション２０８は、モバイル・クライアント１０８へのサービスに専用される処理リソースを用いてシームレス動作モードをサポートすることができる。このようにして、モバイル・クライアント１０８は、モバイル加入者から透過的な方法で管理される。シームレス動作モードは、モバイル加入者が、モバイル・クライアント１０８を管理することを望まないが、モバイル・クライアント１０８と帯域幅を共用することによって継続的な収入の発生を望む場合に望ましいことがある。
【００４３】
図示されていないが、アドホック・サービス・プロバイダ１０６はサーバアプリケーションを含むこともできる。サーバアプリケーションは、アドホック・サービス・プロバイダ１０６がモバイル・クライアント１０８を認証するサーバとして機能できるようにするために使用することができる。
【００４４】
図３は、アドホック・サービス・プロバイダのハードウェア構成の一例を示す概念ブロック図である。アドホック・サービス・プロバイダ１０６は、ＷＬＡＮトランシーバ３０２、ＷＷＡＮトランシーバ３０４、および処理システム３０６とともに示されている。例として、ＷＬＡＮトランシーバ３０２はＷＬＡＮネットワーク・アダプタ２０２（図２参照）の物理層のアナログ部分を実装するために使用することができ、ＷＷＡＮトランシーバ３０４はＷＷＡＮネットワーク・アダプタ２０４（図２参照）の物理層のアナログ部分を実装するために使用することができる。
【００４５】
処理システム３０６は、ＷＬＡＮネットワーク・アダプタ２０２とＷＷＡＮネットワーク・アダプタ２０４（図２参照）両方の物理層ならびにリンク層のデジタル処理部分を実装するために使用することができる。処理システム３０６はまた、フィルタード相互接続およびセッション監視モジュール２０６およびサービス・プロバイダ・アプリケーション２０８（図２参照）を実装するために使用することができる。
【００４６】
処理システム３０６は、ソフトウェア、ハードウェア、または両方の組合せを使用して実装することができる。例として、処理システム３０６は、１つまたは複数のプロセッサを用いて実装することができる。プロセッサは、汎用マイクロプロセッサ、マイクロコントローラ、デジタル信号プロセッサ（ＤＳＰ）、特定用途向け集積回路（ＡＳＩＣ）、フィールドプログラマブルゲートアレイ（ＦＰＧＡ）、プログラマブル論理デバイス（ＰＬＤ）、コントローラ、状態機械、ゲートロジック、個別ハードウェア構成要素、あるいは情報の計算または他の操作を実行することができる他の適切なエンティティとすることができる。処理システム３０６は、ソフトウェアを格納するための１つまたは複数の機械可読媒体を含むこともできる。ソフトウェアは、ソフトウェア、ファームウェア、ミドルウェア、マイクロコード、ハードウェア記述言語などの名称にかかわらず、命令、データ、またはそれらの組合せを意味すると広く解釈されたい。命令は、（たとえば、ソースコード形式、バイナリコード形式、実行コード形式、または他の適切なコード形式の）コードを含むことができる。
【００４７】
機械可読媒体は、ＡＳＩＣの場合のようにプロセッサに統合された記憶装置を含むことができる。機械可読媒体はまた、ランダムアクセスメモリ（ＲＡＭ）、フラッシュメモリ、読取り専用メモリ（ＲＯＭ）、プログラマブル読取り専用メモリ（ＰＲＯＭ）、消去可能ＰＲＯＭ（ＥＰＲＯＭ）、レジスタ、ハードディスク、リムーバブルディスク、ＣＤ−ＲＯＭ、ＤＶＤ、または他の適切な記憶デバイスなど、プロセッサの外部の記憶装置を含むことができる。さらに、機械可読媒体は、伝送線路、またはデータ信号を符号化する搬送波を含むことができる。当業者なら、どのようにしたら処理システム３０６について説明した機能を最も良く実装することができるかを認識されよう。
【００４８】
図４は、アドホック・サービス・プロバイダ内の処理システムの機能の一例を示す概念ブロック図である。アドホック・サービス・プロバイダ１０６は、ユーザ・インターフェース２１２および処理システム３０６とともに示されている。処理システム３０６は、ユーザがユーザ・インターフェースを介してネットワークにワイヤレスでアクセスできるようにするためのモジュール４０２と、サーバによって認証されたモバイル・クライアントに関して、ネットワークへのワイヤレス・アクセス・ポイントを提供するためのモジュール４０４とを含む。
【００４９】
次に図１のモバイル・クライアントに移ると、ＴＬＳセッションは、サーバ１１０に登録するためにモバイル・クライアント１０８によって使用される。登録されると、モバイル・クライアント１０８は利用可能なアドホック・サービス・プロバイダ１０６を探索することができる。モバイル・クライアント１０８は、１つまたは複数のアドホック・サービス・プロバイダ１０６の存在を検出すると、アドホック・サービス・プロバイダ１０６がサポートすることができる利用可能帯域幅、アドホック・サービス・プロバイダ１０６のＱｏＳ基準、ならびに広告されたサービスのコストなどのパラメータに基づいて、ＥＡＰ−ＴＴＬＳを使用してアドホック・サービス・プロバイダ１０６とのセッションを開始することができる。前述のように、リンク暗号化キーは、セッションの確立中にモバイル・クライアント１０８とアドホック・サービス・プロバイダ１０６との間で確立することができる。モバイル・クライアント１０８とサーバ１１０との間のすべてのトラフィックが暗号化されるように、その両者間でＳＳＬ  ＶＰＮセッションを確立することができる。トランスポート層ポートは、アドホック・サービス・プロバイダ１０６においてネットワークアドレス変換機能が見えるようにするために、オープンにされ、暗号化されない。
【００５０】
モバイル・クライアント１０８のハンドオフは様々な方法で実行できる。１つの構成では、モバイル・クライアント１０８は、インターネットにアクセスするために１つのアドホック・サービス・プロバイダ１０６を使用しながら、複数のアドホック・サービス・プロバイダ１０６との制限されたセッションを維持することができる。前述のように、この手法はハンドオフプロセスを円滑にすることができる。代替構成では、モバイル・クライアント１０８は必要なときのみハンドオフを検討する。この構成では、モバイル・クライアント１０８は、ハンドオフのためにその近傍にあるアドホック・サービス・プロバイダ１０６のアクティブリストを維持することができる。現在のアドホック・サービス・プロバイダ１０６がそのサービスを中断する必要がある場合、モバイル・クライアント１０８はアクティブリストからハンドオフのためのアドホック・サービス・プロバイダ１０６を選択することができる。ハンドオフが不可能な場合、モバイル・クライアント１０８はインターネットにアクセスするために異なるアドホック・サービス・プロバイダ１０６を介して再接続する必要がある。
【００５１】
モバイル・クライアント１０８が必要とする帯域幅が利用可能なアドホック・サービス・プロバイダ１０６の能力よりも大きい場合、モバイル・クライアント１０８は、複数のアドホック・サービス・プロバイダ１０６に同時にアクセスすることができる。複数のトランシーバをもつモバイル・クライアント１０８は、アドホック・サービス・プロバイダ１０６ごとに異なるトランシーバを使用して、潜在的に複数のアドホック・サービス・プロバイダ１０６に同時にアクセスすることができる。複数のアドホック・サービス・プロバイダ１０６にアクセスするのに同じワイヤレス・アクセス・プロトコルが使用できる場合、異なるチャネルを使用することができる。モバイル・クライアント１０８が、ただ１つのトランシーバしか利用可能でない場合、モバイル・クライアントは、各アドホック・サービス・プロバイダ１０６にアクセスするのに費やす時間を分散することができる。
【００５２】
本明細書で説明した様々な例示的なブロック、モジュール、要素、構成要素、方法、およびアルゴリズムは、電子的ハードウェア、コンピュータソフトウェア、または両方の組合せとして実装することができることを当業者なら諒解されよう。ハードウェアとソフトウェアのこの互換性を説明するために、様々な例示的なブロック、モジュール、要素、構成要素、方法、およびアルゴリズムについて、上記では概して、それらの機能に関して説明した。そのような機能をハードウェアとして実装するか、ソフトウェアとして実装するかは、特定の適用例および全体的なシステムに課される設計制約に依存する。当業者なら、説明した機能を特定の適用例ごとに様々な方法で実装することができる。
【００５３】
開示したプロセスにおけるステップの特定の順序または階層は、例示的な手法の一例であることが理解されよう。設計上の選好に基づいて、プロセスにおけるステップの特定の順序または階層は並べ替えることができることが理解されよう。添付の方法クレームは、様々なステップの要素を例示的な順序で提示しており、提示された特定の順序または階層に限定されるものではない。
【００５４】
以上の説明は、当業者が本明細書で説明した様々な態様を実行できるようにするために提供したものである。これらの態様に対する様々な変更は当業者には容易に明らかであり、本明細書で定義した一般的原理は他の態様に適用することができる。したがって、特許請求の範囲は、本明細書に示された態様に限定されるものではなく、言語的主張に矛盾しない最大限の範囲を与えられるべきであり、単数形の要素への言及は、明確にそう明記されていない限り、「ただ１つの」を意味するものではなく、「１つまたは複数の」を意味するものである。別段に明記されていない限り、「いくつかの」という語は「１つまたは複数の」を表す。男性形の代名詞（たとえば、彼）は、女性および中性（たとえば、彼女およびそれ）を含み、その逆も同様である。当業者に知られている、または後に知られることになる、本開示全体にわたって説明した様々な態様の要素のすべての構造的および機能的均等物は、参照により本明細書に明白に組み込まれ、特許請求の範囲に包含されるものである。さらに、本明細書に開示したいかなることも、そのような開示が特許請求の範囲に明示的に具陳されているかどうかにかかわらず、公に供するものではない。いかなるクレーム要素も、その要素が「手段」という語句を使用して明白に具陳されていない限り、または方法クレームの場合には、その要素が「ステップ」という語句を使用して具陳されていない限り、米国特許法第１１２条第６項の規定に基づいて解釈されるべきではない。
【図１】
2014068362.tif 000003
【図２】
2014068362.tif 000004
【図３】
2014068362.tif 000005
【図４】
2014068362.tif 000006
【手続補正書】
【提出日】平成25年12月16日(2013.12.16)
【手続補正１】
【補正対象書類名】特許請求の範囲
【補正対象項目名】全文
【補正方法】変更
【補正の内容】
【特許請求の範囲】
【請求項１】
アドホック・サービス・プロバイダであって、
ユーザ・インターフェースと、
ユーザが前記ユーザ・インターフェースを介してネットワークにワイヤレスでアクセスできるように構成された処理システムであって、サーバによって認証されたモバイル・クライアントに関して、前記ネットワークへのワイヤレス・アクセス・ポイントを提供するようにさらに構成された処理システムとを備え、
前記処理システムは、前記アドホック・サービス・プロバイダが別のアドホック・サービス・プロバイダからの前記モバイル・クライアントのハンドオフを受け入れた場合に、前記モバイル・クライアントをサポートするために使用されるべきリソースの推定に基づいて、前記アドホック・サービス・プロバイダが前記モバイル・クライアントをサポートすることができるかどうかを判断するように構成される、アドホック・サービス・プロバイダ。
【請求項２】
前記処理システムが、前記モバイル・クライアントの前記認証をサポートするために前記モバイル・クライアントと前記サーバとの間で認証メッセージをルーティングするようにさらに構成された、請求項１に記載のアドホック・サービス・プロバイダ。
【請求項３】
前記処理システムが、別のモバイル・クライアントとのワイヤレス・リンクを維持するようにさらに構成され、前記ワイヤレス・リンクが、前記別のアドホック・サービス・プロバイダへの前記別のモバイル・クライアントのハンドオフを円滑にするために維持される、請求項１に記載のアドホック・サービス・プロバイダ。
【請求項４】
前記処理システムが、ハンドオフ前に前記別のモバイル・クライアントを事前認証するために、前記モバイル・クライアントと前記サーバとの間で認証メッセージをルーティングするようにさらに構成された、請求項３に記載のアドホック・サービス・プロバイダ。
【請求項５】
前記処理システムが、認証中に前記モバイル・クライアントとの非セキュアなワイヤレス・リンクをサポートし、前記モバイル・クライアントが認証された後に前記モバイル・クライアントをセキュアなワイヤレス・リンクに移動するようにさらに構成された、請求項１に記載のアドホック・サービス・プロバイダ。
【請求項６】
前記処理システムが、前記ワイヤレス・アクセス・ポイントからサービス情報をブロードキャストするようにさらに構成された、請求項１に記載のアドホック・サービス・プロバイダ。
【請求項７】
前記サービス情報が、サービスのコストと、サービスの継続時間と、前記アドホック・サービス・プロバイダの識別情報と、前記アドホック・サービス・プロバイダの利用可能性と、前記アドホック・サービス・プロバイダの品質基準とを含む、請求項６に記載のアドホック・サービス・プロバイダ。
【請求項８】
前記処理システムが、前記サービス情報を動的に変化させるようにさらに構成された、請求項６に記載のアドホック・サービス・プロバイダ。
【請求項９】
前記処理システムが、前記モバイル・クライアントとの第１のワイヤレス・アクセス・プロトコルと前記ネットワークとの第２のワイヤレス・アクセス・プロトコルとの間の相互接続を提供することによって前記ワイヤレス・アクセス・ポイントを提供するようにさらに構成された、請求項１に記載のアドホック・サービス・プロバイダ。
【請求項１０】
前記第１のワイヤレス・アクセス・プロトコルが前記第２のワイヤレス・アクセス・プロトコルとは異なる、請求項９に記載のアドホック・サービス・プロバイダ。
【請求項１１】
前記処理システムが、前記ネットワークに対して複数の異なるワイヤレス・アクセス・プロトコルをサポートするようにさらに構成された、請求項１に記載のアドホック・サービス・プロバイダ。
【請求項１２】
前記処理システムが、前記サーバによって認証された１つまたは複数の追加のモバイル・クライアントに前記ネットワークへの前記ワイヤレス・アクセス・ポイントを提供するようにさらに構成された、請求項１に記載のアドホック・サービス・プロバイダ。
【請求項１３】
前記処理システムが、前記モバイル・クライアントおよび前記１つまたは複数の追加のモバイル・クライアントとの複数の異なるワイヤレス・アクセス・プロトコルをサポートするようにさらに構成された、請求項１２に記載のアドホック・サービス・プロバイダ。
【請求項１４】
前記処理システムが、前記サーバによって認証された前記モバイル・クライアントおよび前記１つまたは複数の追加のモバイル・クライアントのみに、前記ワイヤレス・アクセス・ポイントを介した前記ネットワークへのアクセスが提供されるように構成されたフィルタをさらに備える、請求項１２に記載のアドホック・サービス・プロバイダ。
【請求項１５】
前記フィルタが、前記サーバによって認証された前記モバイル・クライアントおよび前記１つまたは複数の追加のモバイル・クライアントの各々について前記ワイヤレス・アクセス・ポイントを介してトランスポートされるコンテンツの量を管理するようにさらに構成された、請求項１４に記載のアドホック・サービス・プロバイダ。
【請求項１６】
前記フィルタが、優先順位に基づいて前記サーバによって認証された前記モバイル・クライアントおよび前記１つまたは複数の追加のモバイル・クライアントの各々について前記ワイヤレス・アクセス・ポイントを介してトランスポートされるコンテンツの量を管理するようにさらに構成された、請求項１４に記載のアドホック・サービス・プロバイダ。
【請求項１７】
前記処理システムが、前記モバイル・クライアントに前記ネットワークへのアクセスを提供する前に前記モバイル・クライアントにサービスを提供することができるかどうかを判断するようにさらに構成された、請求項１に記載のアドホック・サービス・プロバイダ。
【請求項１８】
前記処理システムが、サービス品質要件、帯域幅要件、待ち時間要件、処理要件、バッテリ使用要件、または所要のネットワークアクセス時間に基づいて、前記モバイル・クライアントにサービスを提供することができるかどうかを判断するようにさらに構成された、請求項１７に記載のアドホック・サービス・プロバイダ。
【請求項１９】
前記処理システムが、前記モバイル・クライアントの所要のネットワークアクセス時間をネゴシエートするようにさらに構成され、前記処理システムが前記モバイル・クライアントの前記所要のネットワークアクセス時間をもはやサポートすることができないと後で判断した場合、前記処理システムが前記モバイル・クライアントおよび前記サーバに通知するようにさらに構成された、請求項１に記載のアドホック・サービス・プロバイダ。
【請求項２０】
前記処理システムが、前記モバイル・クライアントの前記所要のネットワークアクセス時間をもはやサポートすることができないことを前記モバイル・クライアントおよびサーバに通知した後、別のアドホック・サービス・プロバイダへの前記モバイル・クライアントのハンドオフをサポートするようにさらに構成された、請求項１９に記載のアドホック・サービス・プロバイダ。
【請求項２１】
前記処理システムが、前記モバイル・クライアントがデータを解読することができないように前記ユーザ・インターフェースと前記ネットワークとの間で前記データをルーティングするようにさらに構成された、請求項１に記載のアドホック・サービス・プロバイダ。
【請求項２２】
前記処理システムが、データを解読することができないように前記モバイル・クライアントと前記サーバとの間で前記データをルーティングするように構成された、請求項１に記載のアドホック・サービス・プロバイダ。
【請求項２３】
前記処理システムが、前記ユーザが前記ユーザ・インターフェースを介して前記モバイル・クライアントを管理できるようにさらに構成された、請求項１に記載のアドホック・サービス・プロバイダ。
【請求項２４】
前記処理システムが、前記ユーザに対して透過的な方法で前記モバイル・クライアントを管理するようにさらに構成された、請求項１に記載のアドホック・サービス・プロバイダ。
【請求項２５】
前記処理システムが、前記モバイル・クライアントを認証するための前記サーバをさらに備える、請求項１に記載のアドホック・サービス・プロバイダ。
【請求項２６】
アドホック・サービス・プロバイダであって、
ユーザ・インターフェースと、
ユーザが前記ユーザ・インターフェースを介してネットワークにワイヤレスでアクセスできるようにするための手段と、
サーバによって認証されたモバイル・クライアントに関して、前記ネットワークへのワイヤレス・アクセス・ポイントを提供するための手段と、
前記アドホック・サービス・プロバイダが別のアドホック・サービス・プロバイダからの前記モバイル・クライアントのハンドオフを受け入れた場合に、前記モバイル・クライアントをサポートするために使用されるべきリソースの推定に基づいて、前記アドホック・サービス・プロバイダが前記モバイル・クライアントをサポートすることができるかどうかを判断するための手段と
を備えるアドホック・サービス・プロバイダ。
【請求項２７】
前記モバイル・クライアントの前記認証をサポートするために前記モバイル・クライアントと前記サーバとの間で認証メッセージをルーティングするための手段をさらに備える、請求項２６に記載のアドホック・サービス・プロバイダ。
【請求項２８】
別のモバイル・クライアントとのワイヤレス・リンクを維持するための手段をさらに備え、前記ワイヤレス・リンクが、前記別のアドホック・サービス・プロバイダへの前記別のモバイル・クライアントのハンドオフを円滑にするために維持される、請求項２６に記載のアドホック・サービス・プロバイダ。
【請求項２９】
ハンドオフ前に前記別のモバイル・クライアントを事前認証するために、前記モバイル・クライアントと前記サーバとの間で認証メッセージをルーティングするための手段をさらに備える、請求項２８に記載のアドホック・サービス・プロバイダ。
【請求項３０】
認証中に前記モバイル・クライアントとの非セキュアなワイヤレス・リンクをサポートするための手段と、前記モバイル・クライアントが認証された後に前記モバイル・クライアントをセキュアなワイヤレス・リンクに移動するための手段とをさらに備える、請求項２６に記載のアドホック・サービス・プロバイダ。
【請求項３１】
前記ワイヤレス・アクセス・ポイントからサービス情報をブロードキャストするための手段をさらに備える、請求項２６に記載のアドホック・サービス・プロバイダ。
【請求項３２】
前記サービス情報が、サービスのコストと、サービスの継続時間と、前記アドホック・サービス・プロバイダの識別情報と、前記アドホック・サービス・プロバイダの利用可能性と、前記アドホック・サービス・プロバイダの品質基準とを含む、請求項３１に記載のアドホック・サービス・プロバイダ。
【請求項３３】
前記サービス情報を動的に変化させるための手段をさらに備える、請求項３１に記載のアドホック・サービス・プロバイダ。
【請求項３４】
前記ネットワークへのワイヤレス・アクセス・ポイントを提供するための前記手段が、前記モバイル・クライアントとの第１のワイヤレス・アクセス・プロトコルと前記ネットワークとの第２のワイヤレス・アクセス・プロトコルとの間の相互接続を提供するための手段をさらに備える、請求項２６に記載のアドホック・サービス・プロバイダ。
【請求項３５】
前記第１のワイヤレス・アクセス・プロトコルが前記第２のワイヤレス・アクセス・プロトコルとは異なる、請求項３４に記載のアドホック・サービス・プロバイダ。
【請求項３６】
前記ネットワークに対して複数の異なるワイヤレス・アクセス・プロトコルをサポートするための手段をさらに備える、請求項２６に記載のアドホック・サービス・プロバイダ。
【請求項３７】
前記サーバによって認証された１つまたは複数の追加のモバイル・クライアントに前記ネットワークへのワイヤレス・アクセス・ポイントを提供するための手段をさらに備える、請求項２６に記載のアドホック・サービス・プロバイダ。
【請求項３８】
前記モバイル・クライアントおよび前記１つまたは複数の追加のモバイル・クライアントとの複数の異なるワイヤレス・アクセス・プロトコルをサポートするための手段をさらに備える、請求項３７に記載のアドホック・サービス・プロバイダ。
【請求項３９】
前記ネットワークへのワイヤレス・アクセス・ポイントを提供するための前記手段が、前記サーバによって認証された前記モバイル・クライアントおよび前記１つまたは複数の追加のモバイル・クライアントのみに、前記ワイヤレス・アクセス・ポイントを介した前記ネットワークへのアクセスが提供されるようにするための手段をさらに備える、請求項３７に記載のアドホック・サービス・プロバイダ。
【請求項４０】
前記サーバによって認証された前記モバイル・クライアントおよび前記１つまたは複数の追加のモバイル・クライアントの各々について前記ワイヤレス・アクセス・ポイントを介してトランスポートされるコンテンツの量を管理するための手段をさらに備える、請求項３９に記載のアドホック・サービス・プロバイダ。
【請求項４１】
優先順位に基づいて前記サーバによって認証された前記モバイル・クライアントおよび前記１つまたは複数の追加のモバイル・クライアントの各々について前記ワイヤレス・アクセス・ポイントを介してトランスポートされるコンテンツの量を管理するための手段をさらに備える、請求項３９に記載のアドホック・サービス・プロバイダ。
【請求項４２】
前記モバイル・クライアントに前記ネットワークへのアクセスを提供する前に前記モバイル・クライアントにサービスを提供することができるかどうかを判断するための手段をさらに備える、請求項２６に記載のアドホック・サービス・プロバイダ。
【請求項４３】
前記モバイル・クライアントにサービスを提供することができるかどうかを判断するための前記手段が、サービス品質要件、帯域幅要件、待ち時間要件、処理要件、バッテリ使用要件、または所要のネットワークアクセス時間に基づく、請求項４２に記載のアドホック・サービス・プロバイダ。
【請求項４４】
前記モバイル・クライアントの所要のネットワークアクセス時間をネゴシエートするための手段と、前記モバイル・クライアントの前記所要のネットワークアクセス時間をもはやサポートすることができないとき前記モバイル・クライアントおよび前記サーバに通知するための手段とをさらに備える、請求項２６に記載のアドホック・サービス・プロバイダ。
【請求項４５】
前記モバイル・クライアントの前記所要のネットワークアクセス時間をもはやサポートすることができないことを前記モバイル・クライアントおよびサーバに通知した後、別のアドホック・サービス・プロバイダへの前記モバイル・クライアントのハンドオフをサポートするための手段をさらに備える、請求項４４に記載のアドホック・サービス・プロバイダ。
【請求項４６】
前記モバイル・クライアントがデータを解読することができないように前記ユーザ・インターフェースと前記ネットワークとの間で前記データをルーティングするための手段をさらに備える、請求項２６に記載のアドホック・サービス・プロバイダ。
【請求項４７】
データを解読することができないように前記モバイル・クライアントと前記サーバとの間で前記データをルーティングするための手段をさらに備える、請求項２６に記載のアドホック・サービス・プロバイダ。
【請求項４８】
前記ユーザが前記ユーザ・インターフェースを介して前記モバイル・クライアントを管理できるようにするための手段をさらに備える、請求項２６に記載のアドホック・サービス・プロバイダ。
【請求項４９】
前記ユーザに対して透過的な方法で前記モバイル・クライアントを管理するための手段をさらに備える、請求項２６に記載のアドホック・サービス・プロバイダ。
【請求項５０】
前記モバイル・クライアントを認証するための前記サーバをさらに備える、請求項２６に記載のアドホック・サービス・プロバイダ。
【請求項５１】
ユーザ・インターフェースを有するアドホック・サービス・プロバイダからサービスを提供する方法であって、
ユーザが前記ユーザ・インターフェースを介してネットワークにワイヤレスでアクセスできるようにすることと、
前記アドホック・サービス・プロバイダが別のアドホック・サービス・プロバイダからのモバイル・クライアントのハンドオフを受け入れた場合に、前記モバイル・クライアントをサポートするために使用されるべきリソースの推定に基づいて、前記アドホック・サービス・プロバイダが前記モバイル・クライアントをサポートすることができるかどうかを判断することと、
前記アドホック・サービス・プロバイダが前記モバイル・クライアントをサポートできると判断したことに応じて、前記モバイル・クライアントに関して、前記ネットワークへのワイヤレス・アクセス・ポイントを提供することとを備え、
前記モバイル・クライアントは、サーバによって認証されている、方法。
【請求項５２】
前記モバイル・クライアントの前記認証をサポートするために前記モバイル・クライアントと前記サーバとの間で認証メッセージをルーティングすることをさらに備える、請求項５１に記載の方法。
【請求項５３】
別のモバイル・クライアントとのワイヤレス・リンクを維持することをさらに備え、前記ワイヤレス・リンクが、前記別のアドホック・サービス・プロバイダへの前記別のモバイル・クライアントのハンドオフを円滑にするために維持される、請求項５１に記載の方法。
【請求項５４】
ハンドオフ前に前記別のモバイル・クライアントを事前認証するために、前記モバイル・クライアントと前記サーバとの間で認証メッセージをルーティングすることをさらに備える、請求項５３に記載の方法。
【請求項５５】
認証中に前記モバイル・クライアントとの非セキュアなワイヤレス・リンクをサポートすることと、前記モバイル・クライアントが認証された後に前記モバイル・クライアントをセキュアなワイヤレス・リンクに移動することとをさらに備える、請求項５１に記載の方法。
【請求項５６】
前記ワイヤレス・アクセス・ポイントからサービス情報をブロードキャストすることをさらに備える、請求項５１に記載の方法。
【請求項５７】
前記サービス情報が、サービスのコストと、サービスの継続時間と、前記アドホック・サービス・プロバイダの識別情報と、前記アドホック・サービス・プロバイダの利用可能性と、前記アドホック・サービス・プロバイダの品質基準とを含む、請求項５６に記載の方法。
【請求項５８】
前記サービス情報を動的に変化させることをさらに備える、請求項５６に記載の方法。
【請求項５９】
前記ネットワークへのワイヤレス・アクセス・ポイントを提供することが、前記モバイル・クライアントとの第１のワイヤレス・アクセス・プロトコルと前記ネットワークとの第２のワイヤレス・アクセス・プロトコルとの間の相互接続を提供することをさらに備える、請求項５１に記載の方法。
【請求項６０】
前記第１のワイヤレス・アクセス・プロトコルが前記第２のワイヤレス・アクセス・プロトコルとは異なる、請求項５９に記載の方法。
【請求項６１】
前記ネットワークに対して複数の異なるワイヤレス・アクセス・プロトコルをサポートすることをさらに備える、請求項５１に記載の方法。
【請求項６２】
前記サーバによって認証された１つまたは複数の追加のモバイル・クライアントに前記ネットワークへのワイヤレス・アクセス・ポイントを提供することをさらに備える、請求項５１に記載の方法。
【請求項６３】
前記モバイル・クライアントおよび前記１つまたは複数の追加のモバイル・クライアントとの複数の異なるワイヤレス・アクセス・プロトコルをサポートすることをさらに備える、請求項６２に記載の方法。
【請求項６４】
前記ネットワークへのワイヤレス・アクセス・ポイントを提供することが、前記サーバによって認証された前記モバイル・クライアントおよび前記１つまたは複数の追加のモバイル・クライアントのみに、前記ワイヤレス・アクセス・ポイントを介した前記ネットワークへのアクセスが提供されるようにすることをさらに備える、請求項６２に記載の方法。
【請求項６５】
前記サーバによって認証された前記モバイル・クライアントおよび前記１つまたは複数の追加のモバイル・クライアントの各々について前記ワイヤレス・アクセス・ポイントを介してトランスポートされるコンテンツの量を管理することをさらに備える、請求項６４に記載の方法。
【請求項６６】
優先順位に基づいて前記サーバによって認証された前記モバイル・クライアントおよび前記１つまたは複数の追加のモバイル・クライアントの各々について前記ワイヤレス・アクセス・ポイントを介してトランスポートされるコンテンツの量を管理することをさらに備える、請求項６４に記載の方法。
【請求項６７】
前記モバイル・クライアントに前記ネットワークへのアクセスを提供する前に前記モバイル・クライアントにサービスを提供することができるかどうかを判断することをさらに備える、請求項５１に記載の方法。
【請求項６８】
前記モバイル・クライアントにサービスを提供することができるかどうかを判断することが、サービス品質要件、帯域幅要件、待ち時間要件、処理要件、バッテリ使用要件、または所要のネットワークアクセス時間に基づく、請求項６７に記載の方法。
【請求項６９】
前記モバイル・クライアントの所要のネットワークアクセス時間をネゴシエートすることと、前記モバイル・クライアントの前記所要のネットワークアクセス時間をもはやサポートすることができないとき前記モバイル・クライアントおよび前記サーバに通知することとをさらに備える、請求項５１に記載の方法。
【請求項７０】
前記モバイル・クライアントの前記所要のネットワークアクセス時間をもはやサポートすることができないことを前記モバイル・クライアントおよびサーバに通知した後、別のアドホック・サービス・プロバイダへの前記モバイル・クライアントのハンドオフをサポートすることをさらに備える、請求項６９に記載の方法。
【請求項７１】
前記モバイル・クライアントがデータを解読することができないように前記ユーザ・インターフェースと前記ネットワークとの間で前記データをルーティングすることをさらに備える、請求項５１に記載の方法。
【請求項７２】
データを解読することができないように前記モバイル・クライアントと前記サーバとの間で前記データをルーティングすることをさらに備える、請求項５１に記載の方法。
【請求項７３】
前記ユーザが前記ユーザ・インターフェースを介して前記モバイル・クライアントを管理できるようにすることをさらに備える、請求項５１に記載の方法。
【請求項７４】
前記ユーザに対して透過的な方法で前記モバイル・クライアントを管理することをさらに備える、請求項５１に記載の方法。
【請求項７５】
前記モバイル・クライアントを認証するための前記サーバを提供することをさらに備える、請求項５１に記載の方法。
【請求項７６】
ユーザ・インターフェースを有するアドホック・サービス・プロバイダ内の処理システムによって実行可能な命令を備える機械可読媒体であって、前記命令が、
ユーザが前記ユーザ・インターフェースを介してネットワークにワイヤレスでアクセスできるようにするためのコードと、
前記アドホック・サービス・プロバイダが別のアドホック・サービス・プロバイダからのモバイル・クライアントのハンドオフを受け入れた場合に、前記モバイル・クライアントをサポートするために使用されるべきリソースの推定に基づいて、前記アドホック・サービス・プロバイダが前記モバイル・クライアントをサポートすることができるかどうかを判断するためのコードと
前記アドホック・サービス・プロバイダが前記モバイル・クライアントをサポートできると判断したことに応じて、前記モバイル・クライアントに関して、前記ネットワークへのワイヤレス・アクセス・ポイントを提供するためのコードとを備え、
前記モバイル・クライアントは、サーバによって認証される、機械可読媒体。
【請求項７７】
前記命令が、前記モバイル・クライアントの前記認証をサポートするために前記モバイル・クライアントと前記サーバとの間で認証メッセージをルーティングするためのコードをさらに備える、請求項７６に記載の機械可読媒体。
【請求項７８】
前記命令が、別のモバイル・クライアントとのワイヤレス・リンクを維持するためのコードをさらに備え、前記ワイヤレス・リンクが、前記別のアドホック・サービス・プロバイダへの前記別のモバイル・クライアントのハンドオフを円滑にするために維持される、請求項７６に記載の機械可読媒体。
【請求項７９】
前記命令が、ハンドオフ前に前記別のモバイル・クライアントを事前認証するために、前記モバイル・クライアントと前記サーバとの間で認証メッセージをルーティングするためのコードをさらに備える、請求項７８に記載の機械可読媒体。
【請求項８０】
前記命令が、認証中に前記モバイル・クライアントとの非セキュアなワイヤレス・リンクをサポートするためのコードと、前記モバイル・クライアントが認証された後に前記モバイル・クライアントをセキュアなワイヤレス・リンクに移動するためのコードとをさらに備える、請求項７６に記載の機械可読媒体。
【請求項８１】
前記命令が、前記ワイヤレス・アクセス・ポイントからサービス情報をブロードキャストするためのコードをさらに備える、請求項７６に記載の機械可読媒体。
【請求項８２】
前記サービス情報が、サービスのコストと、サービスの継続時間と、前記アドホック・サービス・プロバイダの識別情報と、前記アドホック・サービス・プロバイダの利用可能性と、前記アドホック・サービス・プロバイダの品質基準とを含む、請求項８１に記載の機械可読媒体。
【請求項８３】
前記命令が、前記サービス情報を動的に変化させるためのコードをさらに備える、請求項８１に記載の機械可読媒体。
【請求項８４】
前記ネットワークへのワイヤレス・アクセス・ポイントを提供するための前記コードが、前記モバイル・クライアントとの第１のワイヤレス・アクセス・プロトコルと前記ネットワークとの第２のワイヤレス・アクセス・プロトコルとの間の相互接続を提供するためのコードをさらに備える、請求項７６に記載の機械可読媒体。
【請求項８５】
前記第１のワイヤレス・アクセス・プロトコルが前記第２のワイヤレス・アクセス・プロトコルとは異なる、請求項８４に記載の機械可読媒体。
【請求項８６】
前記命令が、前記ネットワークに対して複数の異なるワイヤレス・アクセス・プロトコルをサポートするためのコードをさらに備える、請求項７６に記載の機械可読媒体。
【請求項８７】
前記命令が、前記サーバによって認証された１つまたは複数の追加のモバイル・クライアントに前記ネットワークへのワイヤレス・アクセス・ポイントを提供するためのコードをさらに備える、請求項７６に記載の機械可読媒体。
【請求項８８】
前記命令が、前記モバイル・クライアントおよび前記１つまたは複数の追加のモバイル・クライアントとの複数の異なるワイヤレス・アクセス・プロトコルをサポートするためのコードをさらに備える、請求項８７に記載の機械可読媒体。
【請求項８９】
前記ネットワークへのワイヤレス・アクセス・ポイントを提供するための前記コードが、前記サーバによって認証された前記モバイル・クライアントおよび前記１つまたは複数の追加のモバイル・クライアントのみに、前記ワイヤレス・アクセス・ポイントを介した前記ネットワークへのアクセスが提供されるようにするためのコードをさらに備える、請求項８７に記載の機械可読媒体。
【請求項９０】
前記命令が、前記サーバによって認証された前記モバイル・クライアントおよび前記１つまたは複数の追加のモバイル・クライアントの各々について前記ワイヤレス・アクセス・ポイントを介してトランスポートされるコンテンツの量を管理するためのコードをさらに備える、請求項８９に記載の機械可読媒体。
【請求項９１】
前記命令が、優先順位に基づいて前記サーバによって認証された前記モバイル・クライアントおよび前記１つまたは複数の追加のモバイル・クライアントの各々について前記ワイヤレス・アクセス・ポイントを介してトランスポートされるコンテンツの量を管理するためのコードをさらに備える、請求項８９に記載の機械可読媒体。
【請求項９２】
前記命令が、前記モバイル・クライアントに前記ネットワークへのアクセスを提供する前に前記モバイル・クライアントにサービスを提供することができるかどうかを判断するためのコードをさらに備える、請求項７６に記載の機械可読媒体。
【請求項９３】
前記モバイル・クライアントにサービスを提供することができるかどうかを判断するための前記コードが、サービス品質要件、帯域幅要件、待ち時間要件、処理要件、バッテリ使用要件、または所要のネットワークアクセス時間に基づいてそのような判断を行う、請求項９２に記載の機械可読媒体。
【請求項９４】
前記命令が、前記モバイル・クライアントの所要のネットワークアクセス時間をネゴシエートするためのコードと、前記モバイル・クライアントの前記所要のネットワークアクセス時間をもはやサポートすることができないとき前記モバイル・クライアントおよび前記サーバに通知するためのコードとをさらに備える、請求項７６に記載の機械可読媒体。
【請求項９５】
前記命令が、前記モバイル・クライアントの前記所要のネットワークアクセス時間をもはやサポートすることができないことを前記モバイル・クライアントおよびサーバに通知した後、別のアドホック・サービス・プロバイダへの前記モバイル・クライアントのハンドオフをサポートするためのコードをさらに備える、請求項９４に記載の機械可読媒体。
【請求項９６】
前記命令が、前記モバイル・クライアントがデータを解読することができないように前記ユーザ・インターフェースと前記ネットワークとの間で前記データをルーティングするためのコードをさらに備える、請求項７６に記載の機械可読媒体。
【請求項９７】
前記命令が、データを解読することができないように前記モバイル・クライアントと前記サーバとの間で前記データをルーティングするためのコードをさらに備える、請求項７６に記載の機械可読媒体。
【請求項９８】
前記命令が、前記ユーザが前記ユーザ・インターフェースを介して前記モバイル・クライアントを管理できるようにするためのコードをさらに備える、請求項７６に記載の機械可読媒体。
【請求項９９】
前記命令が、前記ユーザに対して透過的な方法で前記モバイル・クライアントを管理するためのコードをさらに備える、請求項７６に記載の機械可読媒体。
【請求項１００】
前記命令が、前記モバイル・クライアントを認証するための前記サーバを提供するためのコードをさらに備える、請求項７６に記載の機械可読媒体。
【手続補正２】
【補正対象書類名】明細書
【補正対象項目名】００５４
【補正方法】変更
【補正の内容】
【００５４】
以上の説明は、当業者が本明細書で説明した様々な態様を実行できるようにするために提供したものである。これらの態様に対する様々な変更は当業者には容易に明らかであり、本明細書で定義した一般的原理は他の態様に適用することができる。したがって、特許請求の範囲は、本明細書に示された態様に限定されるものではなく、言語的主張に矛盾しない最大限の範囲を与えられるべきであり、単数形の要素への言及は、明確にそう明記されていない限り、「ただ１つの」を意味するものではなく、「１つまたは複数の」を意味するものである。別段に明記されていない限り、「いくつかの」という語は「１つまたは複数の」を表す。男性形の代名詞（たとえば、彼）は、女性および中性（たとえば、彼女およびそれ）を含み、その逆も同様である。当業者に知られている、または後に知られることになる、本開示全体にわたって説明した様々な態様の要素のすべての構造的および機能的均等物は、参照により本明細書に明白に組み込まれ、特許請求の範囲に包含されるものである。さらに、本明細書に開示したいかなることも、そのような開示が特許請求の範囲に明示的に具陳されているかどうかにかかわらず、公に供するものではない。いかなるクレーム要素も、その要素が「手段」という語句を使用して明白に具陳されていない限り、または方法クレームの場合には、その要素が「ステップ」という語句を使用して具陳されていない限り、米国特許法第１１２条第６項の規定に基づいて解釈されるべきではない。
以下に本願発明の当初の特許請求の範囲に記載された発明を付記する。
［Ｃ１］
アドホック・サービス・プロバイダであって、
ユーザ・インターフェースと、
ユーザが前記ユーザ・インターフェースを介してネットワークにワイヤレスでアクセスできるように構成された処理システムであって、サーバによって認証されたモバイル・クライアントに関して、前記ネットワークへのワイヤレス・アクセス・ポイントを提供するようにさらに構成された処理システムとを備えるアドホック・サービス・プロバイダ。
［Ｃ２］
前記処理システムが、前記モバイル・クライアントの前記認証をサポートするために前記モバイル・クライアントと前記サーバとの間で認証メッセージをルーティングするようにさらに構成された、Ｃ１に記載のアドホック・サービス・プロバイダ。
［Ｃ３］
前記処理システムが、別のモバイル・クライアントとのワイヤレス・リンクを維持するようにさらに構成され、前記ワイヤレス・リンクが、前記別のアドホック・サービス・プロバイダへの前記別のモバイル・クライアントのハンドオフを円滑にするために維持される、Ｃ１に記載のアドホック・サービス・プロバイダ。
［Ｃ４］
前記処理システムが、ハンドオフ前に前記別のモバイル・クライアントを事前認証するために、前記モバイル・クライアントと前記サーバとの間で認証メッセージをルーティングするようにさらに構成された、Ｃ３に記載のアドホック・サービス・プロバイダ。
［Ｃ５］
前記処理システムが、認証中に前記モバイル・クライアントとの非セキュアなワイヤレス・リンクをサポートし、前記モバイル・クライアントが認証された後に前記モバイル・クライアントをセキュアなワイヤレス・リンクに移動するようにさらに構成された、Ｃ１に記載のアドホック・サービス・プロバイダ。
［Ｃ６］
前記処理システムが、前記ワイヤレス・アクセス・ポイントからサービス情報をブロードキャストするようにさらに構成された、Ｃ１に記載のアドホック・サービス・プロバイダ。
［Ｃ７］
前記サービス情報が、サービスのコストと、サービスの継続時間と、前記アドホック・サービス・プロバイダの識別情報と、前記アドホック・サービス・プロバイダの利用可能性と、前記アドホック・サービス・プロバイダの品質基準とを含む、Ｃ６に記載のアドホック・サービス・プロバイダ。
［Ｃ８］
前記処理システムが、前記サービス情報を動的に変化させるようにさらに構成された、Ｃ６に記載のアドホック・サービス・プロバイダ。
［Ｃ９］
前記処理システムが、前記モバイル・クライアントとの第１のワイヤレス・アクセス・プロトコルと前記ネットワークとの第２のワイヤレス・アクセス・プロトコルとの間の相互接続を提供することによって前記ワイヤレス・アクセス・ポイントを提供するようにさらに構成された、Ｃ１に記載のアドホック・サービス・プロバイダ。
［Ｃ１０］
前記第１のワイヤレス・アクセス・プロトコルが前記第２のワイヤレス・アクセス・プロトコルとは異なる、Ｃ９に記載のアドホック・サービス・プロバイダ。
［Ｃ１１］
前記処理システムが、前記ネットワークに対して複数の異なるワイヤレス・アクセス・プロトコルをサポートするようにさらに構成された、Ｃ１に記載のアドホック・サービス・プロバイダ。
［Ｃ１２］
前記処理システムが、前記サーバによって認証された１つまたは複数の追加のモバイル・クライアントに前記ネットワークへの前記ワイヤレス・アクセス・ポイントを提供するようにさらに構成された、Ｃ１に記載のアドホック・サービス・プロバイダ。
［Ｃ１３］
前記処理システムが、前記モバイル・クライアントおよび前記１つまたは複数の追加のモバイル・クライアントとの複数の異なるワイヤレス・アクセス・プロトコルをサポートするようにさらに構成された、Ｃ１２に記載のアドホック・サービス・プロバイダ。
［Ｃ１４］
前記処理システムが、前記サーバによって認証された前記モバイル・クライアントおよび前記１つまたは複数の追加のモバイル・クライアントのみに、前記ワイヤレス・アクセス・ポイントを介した前記ネットワークへのアクセスが提供されるように構成されたフィルタをさらに備える、Ｃ１２に記載のアドホック・サービス・プロバイダ。
［Ｃ１５］
前記フィルタが、前記サーバによって認証された前記モバイル・クライアントおよび前記１つまたは複数の追加のモバイル・クライアントの各々について前記ワイヤレス・アクセス・ポイントを介してトランスポートされるコンテンツの量を管理するようにさらに構成された、Ｃ１４に記載のアドホック・サービス・プロバイダ。
［Ｃ１６］
前記フィルタが、優先順位に基づいて前記サーバによって認証された前記モバイル・クライアントおよび前記１つまたは複数の追加のモバイル・クライアントの各々について前記ワイヤレス・アクセス・ポイントを介してトランスポートされるコンテンツの量を管理するようにさらに構成された、Ｃ１４に記載のアドホック・サービス・プロバイダ。
［Ｃ１７］
前記処理システムが、前記モバイル・クライアントに前記ネットワークへのアクセスを提供する前に前記モバイル・クライアントにサービスを提供することができるかどうかを判断するようにさらに構成された、Ｃ１に記載のアドホック・サービス・プロバイダ。
［Ｃ１８］
前記処理システムが、サービス品質要件、帯域幅要件、待ち時間要件、処理要件、バッテリ使用要件、または所要のネットワークアクセス時間に基づいて、前記モバイル・クライアントにサービスを提供することができるかどうかを判断するようにさらに構成された、Ｃ１７に記載のアドホック・サービス・プロバイダ。
［Ｃ１９］
前記処理システムが、前記モバイル・クライアントの所要のネットワークアクセス時間をネゴシエートするようにさらに構成され、前記処理システムが前記モバイル・クライアントの前記所要のネットワークアクセス時間をもはやサポートすることができないと後で判断した場合、前記処理システムが前記モバイル・クライアントおよび前記サーバに通知するようにさらに構成された、Ｃ１に記載のアドホック・サービス・プロバイダ。
［Ｃ２０］
前記処理システムが、前記モバイル・クライアントの前記所要のネットワークアクセス時間をもはやサポートすることができないことを前記モバイル・クライアントおよびサーバに通知した後、別のアドホック・サービス・プロバイダへの前記モバイル・クライアントのハンドオフをサポートするようにさらに構成された、Ｃ１９に記載のアドホック・サービス・プロバイダ。
［Ｃ２１］
前記処理システムが、前記モバイル・クライアントがデータを解読することができないように前記ユーザ・インターフェースと前記ネットワークとの間で前記データをルーティングするようにさらに構成された、Ｃ１に記載のアドホック・サービス・プロバイダ。
［Ｃ２２］
前記処理システムが、データを解読することができないように前記モバイル・クライアントと前記サーバとの間で前記データをルーティングするように構成された、Ｃ１に記載のアドホック・サービス・プロバイダ。
［Ｃ２３］
前記処理システムが、前記ユーザが前記ユーザ・インターフェースを介して前記モバイル・クライアントを管理できるようにさらに構成された、Ｃ１に記載のアドホック・サービス・プロバイダ。
［Ｃ２４］
前記処理システムが、前記ユーザに対して透過的な方法で前記モバイル・クライアントを管理するようにさらに構成された、Ｃ１に記載のアドホック・サービス・プロバイダ。
［Ｃ２５］
前記処理システムが、前記モバイル・クライアントを認証するための前記サーバをさらに備える、Ｃ１に記載のアドホック・サービス・プロバイダ。
［Ｃ２６］
アドホック・サービス・プロバイダであって、
ユーザ・インターフェースと、
ユーザが前記ユーザ・インターフェースを介してネットワークにワイヤレスでアクセスできるようにするための手段と、
サーバによって認証されたモバイル・クライアントに関して、前記ネットワークへのワイヤレス・アクセス・ポイントを提供するための手段とを備えるアドホック・サービス・プロバイダ。
［Ｃ２７］
前記モバイル・クライアントの前記認証をサポートするために前記モバイル・クライアントと前記サーバとの間で認証メッセージをルーティングするための手段をさらに備える、Ｃ２６に記載のアドホック・サービス・プロバイダ。
［Ｃ２８］
別のモバイル・クライアントとのワイヤレス・リンクを維持するための手段をさらに備え、前記ワイヤレス・リンクが、前記別のアドホック・サービス・プロバイダへの前記別のモバイル・クライアントのハンドオフを円滑にするために維持される、Ｃ２６に記載のアドホック・サービス・プロバイダ。
［Ｃ２９］
ハンドオフ前に前記別のモバイル・クライアントを事前認証するために、前記モバイル・クライアントと前記サーバとの間で認証メッセージをルーティングするための手段をさらに備える、Ｃ２８に記載のアドホック・サービス・プロバイダ。
［Ｃ３０］
認証中に前記モバイル・クライアントとの非セキュアなワイヤレス・リンクをサポートするための手段と、前記モバイル・クライアントが認証された後に前記モバイル・クライアントをセキュアなワイヤレス・リンクに移動するための手段とをさらに備える、Ｃ２６に記載のアドホック・サービス・プロバイダ。
［Ｃ３１］
前記ワイヤレス・アクセス・ポイントからサービス情報をブロードキャストするための手段をさらに備える、Ｃ２６に記載のアドホック・サービス・プロバイダ。
［Ｃ３２］
前記サービス情報が、サービスのコストと、サービスの継続時間と、前記アドホック・サービス・プロバイダの識別情報と、前記アドホック・サービス・プロバイダの利用可能性と、前記アドホック・サービス・プロバイダの品質基準とを含む、Ｃ３１に記載のアドホック・サービス・プロバイダ。
［Ｃ３３］
前記サービス情報を動的に変化させるための手段をさらに備える、Ｃ３１に記載のアドホック・サービス・プロバイダ。
［Ｃ３４］
前記ネットワークへのワイヤレス・アクセス・ポイントを提供するための前記手段が、前記モバイル・クライアントとの第１のワイヤレス・アクセス・プロトコルと前記ネットワークとの第２のワイヤレス・アクセス・プロトコルとの間の相互接続を提供するための手段をさらに備える、Ｃ２６に記載のアドホック・サービス・プロバイダ。
［Ｃ３５］
前記第１のワイヤレス・アクセス・プロトコルが前記第２のワイヤレス・アクセス・プロトコルとは異なる、Ｃ３４に記載のアドホック・サービス・プロバイダ。
［Ｃ３６］
前記ネットワークに対して複数の異なるワイヤレス・アクセス・プロトコルをサポートするための手段をさらに備える、Ｃ２６に記載のアドホック・サービス・プロバイダ。
［Ｃ３７］
前記サーバによって認証された１つまたは複数の追加のモバイル・クライアントに前記ネットワークへのワイヤレス・アクセス・ポイントを提供するための手段をさらに備える、Ｃ２６に記載のアドホック・サービス・プロバイダ。
［Ｃ３８］
前記モバイル・クライアントおよび前記１つまたは複数の追加のモバイル・クライアントとの複数の異なるワイヤレス・アクセス・プロトコルをサポートするための手段をさらに備える、Ｃ３７に記載のアドホック・サービス・プロバイダ。
［Ｃ３９］
前記ネットワークへのワイヤレス・アクセス・ポイントを提供するための前記手段が、前記サーバによって認証された前記モバイル・クライアントおよび前記１つまたは複数の追加のモバイル・クライアントのみに、前記ワイヤレス・アクセス・ポイントを介した前記ネットワークへのアクセスが提供されるようにするための手段をさらに備える、Ｃ３７に記載のアドホック・サービス・プロバイダ。
［Ｃ４０］
前記サーバによって認証された前記モバイル・クライアントおよび前記１つまたは複数の追加のモバイル・クライアントの各々について前記ワイヤレス・アクセス・ポイントを介してトランスポートされるコンテンツの量を管理するための手段をさらに備える、Ｃ３９に記載のアドホック・サービス・プロバイダ。
［Ｃ４１］
優先順位に基づいて前記サーバによって認証された前記モバイル・クライアントおよび前記１つまたは複数の追加のモバイル・クライアントの各々について前記ワイヤレス・アクセス・ポイントを介してトランスポートされるコンテンツの量を管理するための手段をさらに備える、Ｃ３９に記載のアドホック・サービス・プロバイダ。
［Ｃ４２］
前記モバイル・クライアントに前記ネットワークへのアクセスを提供する前に前記モバイル・クライアントにサービスを提供することができるかどうかを判断するための手段をさらに備える、Ｃ２６に記載のアドホック・サービス・プロバイダ。
［Ｃ４３］
前記モバイル・クライアントにサービスを提供することができるかどうかを判断するための前記手段が、サービス品質要件、帯域幅要件、待ち時間要件、処理要件、バッテリ使用要件、または所要のネットワークアクセス時間に基づく、Ｃ４２に記載のアドホック・サービス・プロバイダ。
［Ｃ４４］
前記モバイル・クライアントの所要のネットワークアクセス時間をネゴシエートするための手段と、前記モバイル・クライアントの前記所要のネットワークアクセス時間をもはやサポートすることができないとき前記モバイル・クライアントおよび前記サーバに通知するための手段とをさらに備える、Ｃ２６に記載のアドホック・サービス・プロバイダ。
［Ｃ４５］
前記モバイル・クライアントの前記所要のネットワークアクセス時間をもはやサポートすることができないことを前記モバイル・クライアントおよびサーバに通知した後、別のアドホック・サービス・プロバイダへの前記モバイル・クライアントのハンドオフをサポートするための手段をさらに備える、Ｃ４４に記載のアドホック・サービス・プロバイダ。
［Ｃ４６］
前記モバイル・クライアントがデータを解読することができないように前記ユーザ・インターフェースと前記ネットワークとの間で前記データをルーティングするための手段をさらに備える、Ｃ２６に記載のアドホック・サービス・プロバイダ。
［Ｃ４７］
データを解読することができないように前記モバイル・クライアントと前記サーバとの間で前記データをルーティングするための手段をさらに備える、Ｃ２６に記載のアドホック・サービス・プロバイダ。
［Ｃ４８］
前記ユーザが前記ユーザ・インターフェースを介して前記モバイル・クライアントを管理できるようにするための手段をさらに備える、Ｃ２６に記載のアドホック・サービス・プロバイダ。
［Ｃ４９］
前記ユーザに対して透過的な方法で前記モバイル・クライアントを管理するための手段をさらに備える、Ｃ２６に記載のアドホック・サービス・プロバイダ。
［Ｃ５０］
前記モバイル・クライアントを認証するための前記サーバをさらに備える、Ｃ２６に記載のアドホック・サービス・プロバイダ。
［Ｃ５１］
ユーザ・インターフェースを有するアドホック・サービス・プロバイダからサービスを提供する方法であって、
ユーザが前記ユーザ・インターフェースを介してネットワークにワイヤレスでアクセスできるようにすることと、
サーバによって認証されたモバイル・クライアントに関して、前記ネットワークへのワイヤレス・アクセス・ポイントを提供することとを備える方法。
［Ｃ５２］
前記モバイル・クライアントの前記認証をサポートするために前記モバイル・クライアントと前記サーバとの間で認証メッセージをルーティングすることをさらに備える、Ｃ５１に記載の方法。
［Ｃ５３］
別のモバイル・クライアントとのワイヤレス・リンクを維持することをさらに備え、前記ワイヤレス・リンクが、前記別のアドホック・サービス・プロバイダへの前記別のモバイル・クライアントのハンドオフを円滑にするために維持される、Ｃ５１に記載の方法。
［Ｃ５４］
ハンドオフ前に前記別のモバイル・クライアントを事前認証するために、前記モバイル・クライアントと前記サーバとの間で認証メッセージをルーティングすることをさらに備える、Ｃ５３に記載の方法。
［Ｃ５５］
認証中に前記モバイル・クライアントとの非セキュアなワイヤレス・リンクをサポートすることと、前記モバイル・クライアントが認証された後に前記モバイル・クライアントをセキュアなワイヤレス・リンクに移動することとをさらに備える、Ｃ５１に記載の方法。
［Ｃ５６］
前記ワイヤレス・アクセス・ポイントからサービス情報をブロードキャストすることをさらに備える、Ｃ５１に記載の方法。
［Ｃ５７］
前記サービス情報が、サービスのコストと、サービスの継続時間と、前記アドホック・サービス・プロバイダの識別情報と、前記アドホック・サービス・プロバイダの利用可能性と、前記アドホック・サービス・プロバイダの品質基準とを含む、Ｃ５６に記載の方法。
［Ｃ５８］
前記サービス情報を動的に変化させることをさらに備える、Ｃ５６に記載の方法。
［Ｃ５９］
前記ネットワークへのワイヤレス・アクセス・ポイントを提供することが、前記モバイル・クライアントとの第１のワイヤレス・アクセス・プロトコルと前記ネットワークとの第２のワイヤレス・アクセス・プロトコルとの間の相互接続を提供することをさらに備える、Ｃ５１に記載の方法。
［Ｃ６０］
前記第１のワイヤレス・アクセス・プロトコルが前記第２のワイヤレス・アクセス・プロトコルとは異なる、Ｃ５９に記載の方法。
［Ｃ６１］
前記ネットワークに対して複数の異なるワイヤレス・アクセス・プロトコルをサポートすることをさらに備える、Ｃ５１に記載の方法。
［Ｃ６２］
前記サーバによって認証された１つまたは複数の追加のモバイル・クライアントに前記ネットワークへのワイヤレス・アクセス・ポイントを提供することをさらに備える、Ｃ５１に記載の方法。
［Ｃ６３］
前記モバイル・クライアントおよび前記１つまたは複数の追加のモバイル・クライアントとの複数の異なるワイヤレス・アクセス・プロトコルをサポートすることをさらに備える、Ｃ６２に記載の方法。
［Ｃ６４］
前記ネットワークへのワイヤレス・アクセス・ポイントを提供することが、前記サーバによって認証された前記モバイル・クライアントおよび前記１つまたは複数の追加のモバイル・クライアントのみに、前記ワイヤレス・アクセス・ポイントを介した前記ネットワークへのアクセスが提供されるようにすることをさらに備える、Ｃ６２に記載の方法。
［Ｃ６５］
前記サーバによって認証された前記モバイル・クライアントおよび前記１つまたは複数の追加のモバイル・クライアントの各々について前記ワイヤレス・アクセス・ポイントを介してトランスポートされるコンテンツの量を管理することをさらに備える、Ｃ６４に記載の方法。
［Ｃ６６］
優先順位に基づいて前記サーバによって認証された前記モバイル・クライアントおよび前記１つまたは複数の追加のモバイル・クライアントの各々について前記ワイヤレス・アクセス・ポイントを介してトランスポートされるコンテンツの量を管理することをさらに備える、Ｃ６４に記載の方法。
［Ｃ６７］
前記モバイル・クライアントに前記ネットワークへのアクセスを提供する前に前記モバイル・クライアントにサービスを提供することができるかどうかを判断することをさらに備える、Ｃ５１に記載の方法。
［Ｃ６８］
前記モバイル・クライアントにサービスを提供することができるかどうかを判断することが、サービス品質要件、帯域幅要件、待ち時間要件、処理要件、バッテリ使用要件、または所要のネットワークアクセス時間に基づく、Ｃ６７に記載の方法。
［Ｃ６９］
前記モバイル・クライアントの所要のネットワークアクセス時間をネゴシエートすることと、前記モバイル・クライアントの前記所要のネットワークアクセス時間をもはやサポートすることができないとき前記モバイル・クライアントおよび前記サーバに通知することとをさらに備える、Ｃ５１に記載の方法。
［Ｃ７０］
前記モバイル・クライアントの前記所要のネットワークアクセス時間をもはやサポートすることができないことを前記モバイル・クライアントおよびサーバに通知した後、別のアドホック・サービス・プロバイダへの前記モバイル・クライアントのハンドオフをサポートすることをさらに備える、Ｃ６９に記載の方法。
［Ｃ７１］
前記モバイル・クライアントがデータを解読することができないように前記ユーザ・インターフェースと前記ネットワークとの間で前記データをルーティングすることをさらに備える、Ｃ５１に記載の方法。
［Ｃ７２］
データを解読することができないように前記モバイル・クライアントと前記サーバとの間で前記データをルーティングすることをさらに備える、Ｃ５１に記載の方法。
［Ｃ７３］
前記ユーザが前記ユーザ・インターフェースを介して前記モバイル・クライアントを管理できるようにすることをさらに備える、Ｃ５１に記載の方法。
［Ｃ７４］
前記ユーザに対して透過的な方法で前記モバイル・クライアントを管理することをさらに備える、Ｃ５１に記載の方法。
［Ｃ７５］
前記モバイル・クライアントを認証するための前記サーバを提供することをさらに備える、Ｃ５１に記載の方法。
［Ｃ７６］
ユーザ・インターフェースを有するアドホック・サービス・プロバイダ内の処理システムによって実行可能な命令を備える機械可読媒体であって、前記命令が、
ユーザが前記ユーザ・インターフェースを介してネットワークにワイヤレスでアクセスできるようにするためのコードと、
サーバによって認証されたモバイル・クライアントに関して、前記ネットワークへのワイヤレス・アクセス・ポイントを提供するためのコードとを備える、機械可読媒体。
［Ｃ７７］
前記命令が、前記モバイル・クライアントの前記認証をサポートするために前記モバイル・クライアントと前記サーバとの間で認証メッセージをルーティングするためのコードをさらに備える、Ｃ７６に記載の機械可読媒体。
［Ｃ７８］
前記命令が、別のモバイル・クライアントとのワイヤレス・リンクを維持するためのコードをさらに備え、前記ワイヤレス・リンクが、前記別のアドホック・サービス・プロバイダへの前記別のモバイル・クライアントのハンドオフを円滑にするために維持される、Ｃ７６に記載の機械可読媒体。
［Ｃ７９］
前記命令が、ハンドオフ前に前記別のモバイル・クライアントを事前認証するために、前記モバイル・クライアントと前記サーバとの間で認証メッセージをルーティングするためのコードをさらに備える、Ｃ７８に記載の機械可読媒体。
［Ｃ８０］
前記命令が、認証中に前記モバイル・クライアントとの非セキュアなワイヤレス・リンクをサポートするためのコードと、前記モバイル・クライアントが認証された後に前記モバイル・クライアントをセキュアなワイヤレス・リンクに移動するためのコードとをさらに備える、Ｃ７６に記載の機械可読媒体。
［Ｃ８１］
前記命令が、前記ワイヤレス・アクセス・ポイントからサービス情報をブロードキャストするためのコードをさらに備える、Ｃ７６に記載の機械可読媒体。
［Ｃ８２］
前記サービス情報が、サービスのコストと、サービスの継続時間と、前記アドホック・サービス・プロバイダの識別情報と、前記アドホック・サービス・プロバイダの利用可能性と、前記アドホック・サービス・プロバイダの品質基準とを含む、Ｃ８１に記載の機械可読媒体。
［Ｃ８３］
前記命令が、前記サービス情報を動的に変化させるためのコードをさらに備える、Ｃ８１に記載の機械可読媒体。
［Ｃ８４］
前記ネットワークへのワイヤレス・アクセス・ポイントを提供するための前記コードが、前記モバイル・クライアントとの第１のワイヤレス・アクセス・プロトコルと前記ネットワークとの第２のワイヤレス・アクセス・プロトコルとの間の相互接続を提供するためのコードをさらに備える、Ｃ７６に記載の機械可読媒体。
［Ｃ８５］
前記第１のワイヤレス・アクセス・プロトコルが前記第２のワイヤレス・アクセス・プロトコルとは異なる、Ｃ８４に記載の機械可読媒体。
［Ｃ８６］
前記命令が、前記ネットワークに対して複数の異なるワイヤレス・アクセス・プロトコルをサポートするためのコードをさらに備える、Ｃ７６に記載の機械可読媒体。
［Ｃ８７］
前記命令が、前記サーバによって認証された１つまたは複数の追加のモバイル・クライアントに前記ネットワークへのワイヤレス・アクセス・ポイントを提供するためのコードをさらに備える、Ｃ７６に記載の機械可読媒体。
［Ｃ８８］
前記命令が、前記モバイル・クライアントおよび前記１つまたは複数の追加のモバイル・クライアントとの複数の異なるワイヤレス・アクセス・プロトコルをサポートするためのコードをさらに備える、Ｃ８７に記載の機械可読媒体。
［Ｃ８９］
前記ネットワークへのワイヤレス・アクセス・ポイントを提供するための前記コードが、前記サーバによって認証された前記モバイル・クライアントおよび前記１つまたは複数の追加のモバイル・クライアントのみに、前記ワイヤレス・アクセス・ポイントを介した前記ネットワークへのアクセスが提供されるようにするためのコードをさらに備える、Ｃ８７に記載の機械可読媒体。
［Ｃ９０］
前記命令が、前記サーバによって認証された前記モバイル・クライアントおよび前記１つまたは複数の追加のモバイル・クライアントの各々について前記ワイヤレス・アクセス・ポイントを介してトランスポートされるコンテンツの量を管理するためのコードをさらに備える、Ｃ８９に記載の機械可読媒体。
［Ｃ９１］
前記命令が、優先順位に基づいて前記サーバによって認証された前記モバイル・クライアントおよび前記１つまたは複数の追加のモバイル・クライアントの各々について前記ワイヤレス・アクセス・ポイントを介してトランスポートされるコンテンツの量を管理するためのコードをさらに備える、Ｃ８９に記載の機械可読媒体。
［Ｃ９２］
前記命令が、前記モバイル・クライアントに前記ネットワークへのアクセスを提供する前に前記モバイル・クライアントにサービスを提供することができるかどうかを判断するためのコードをさらに備える、Ｃ７６に記載の機械可読媒体。
［Ｃ９３］
前記モバイル・クライアントにサービスを提供することができるかどうかを判断するための前記コードが、サービス品質要件、帯域幅要件、待ち時間要件、処理要件、バッテリ使用要件、または所要のネットワークアクセス時間に基づいてそのような判断を行う、Ｃ９２に記載の機械可読媒体。
［Ｃ９４］
前記命令が、前記モバイル・クライアントの所要のネットワークアクセス時間をネゴシエートするためのコードと、前記モバイル・クライアントの前記所要のネットワークアクセス時間をもはやサポートすることができないとき前記モバイル・クライアントおよび前記サーバに通知するためのコードとをさらに備える、Ｃ７６に記載の機械可読媒体。
［Ｃ９５］
前記命令が、前記モバイル・クライアントの前記所要のネットワークアクセス時間をもはやサポートすることができないことを前記モバイル・クライアントおよびサーバに通知した後、別のアドホック・サービス・プロバイダへの前記モバイル・クライアントのハンドオフをサポートするためのコードをさらに備える、Ｃ９４に記載の機械可読媒体。
［Ｃ９６］
前記命令が、前記モバイル・クライアントがデータを解読することができないように前記ユーザ・インターフェースと前記ネットワークとの間で前記データをルーティングするためのコードをさらに備える、Ｃ７６に記載の機械可読媒体。
［Ｃ９７］
前記命令が、データを解読することができないように前記モバイル・クライアントと前記サーバとの間で前記データをルーティングするためのコードをさらに備える、Ｃ７６に記載の機械可読媒体。
［Ｃ９８］
前記命令が、前記ユーザが前記ユーザ・インターフェースを介して前記モバイル・クライアントを管理できるようにするためのコードをさらに備える、Ｃ７６に記載の機械可読媒体。
［Ｃ９９］
前記命令が、前記ユーザに対して透過的な方法で前記モバイル・クライアントを管理するためのコードをさらに備える、Ｃ７６に記載の機械可読媒体。
［Ｃ１００］
前記命令が、前記モバイル・クライアントを認証するための前記サーバを提供するためのコードをさらに備える、Ｃ７６に記載の機械可読媒体。
【外国語明細書】
2014068362000001.pdf